(57)【要約】      （修正有）【課題】コンポジットブラックの光学濃度（ＯＤ値）を向上可能で、かつ、定着性にも優れたインクジェット記録装置を提供する。【解決手段】インクカートリッジ（インク収容部）２及びインクジェットヘッド（インク吐出手段）３を含み、インクカートリッジ２に、染料を含む水性イエローインク、水性マゼンタインク及び水性インクを収容可能なインクジェット記録装置１であって、制御手段１１が、インクジェットヘッド３を、下記（Ａ）及び（Ｂ）の条件を満たすように制御して、光沢紙上にコンポジットブラックを形成することを特徴とする。（Ａ）０．６６≦Ｃ／（Ｙ＋Ｍ）、（Ｂ）５３０≦Ｙ＋Ｍ＋Ｃ≦６００、Ｙ：イエロー染料の光沢紙２５．４ｍｍ×２５．４ｍｍあたりの滴下量（ｎｇ）、Ｍ：マゼンタ染料の光沢紙２５．４ｍｍ×２５．４ｍｍあたりの滴下量（ｎｇ）、Ｃ：シアン染料の光沢紙２５．４ｍｍ×２５．４ｍｍあたりの滴下量（ｎｇ）【選択図】図１
2015085575.tif 000002
【特許請求の範囲】
【請求項１】
インク収容部及びインク吐出手段を含み、
前記インク収容部に、下記水性イエローインク、水性マゼンタインク及び水性シアンインクを収容可能なインクジェット記録装置であって、
さらに、制御手段を含み、
前記制御手段は、前記インク吐出手段を、下記（Ａ）及び（Ｂ）の条件を満たすように制御して、光沢紙上にコンポジットブラックを形成することを特徴とするインクジェット記録装置。
（Ａ）    ０．６６≦Ｃ／（Ｙ＋Ｍ）
（Ｂ）    ５３０≦Ｙ＋Ｍ＋Ｃ≦６００
Ｙ：下記イエロー染料の光沢紙２５．４ｍｍ×２５．４ｍｍあたりの滴下量（ｎｇ）
Ｍ：下記マゼンタ染料の光沢紙２５．４ｍｍ×２５．４ｍｍあたりの滴下量（ｎｇ）
Ｃ：下記シアン染料の光沢紙２５．４ｍｍ×２５．４ｍｍあたりの滴下量（ｎｇ）
水性イエローインク：イエロー染料を含み、記録媒体上でのＣＩＥＬＡＢ色空間において定義される色相角∠Ｈ°が、８０°〜１００°である水性インク
水性マゼンタインク：マゼンタ染料を含み、前記色相角∠Ｈが、０°〜５°又は３４５°〜３６０°である水性インク
水性シアンインク：シアン染料を含み、前記色相角∠Ｈ°が、２２０°〜２４０°である水性インク
【請求項２】
前記イエロー染料が、下記イエロー染料（Ｙ−１）及びイエロー染料（Ｙ−２）を含み、
前記マゼンタ染料が、下記マゼンタ染料（Ｍ−１）及びマゼンタ染料（Ｍ−２）を含み、
前記シアン染料が、下記シアン染料（Ｃ−１）を含むことを特徴とする請求項１記載のインクジェット記録装置。
イエロー染料（Ｙ−１）：式（Ｙ−１）で表される染料
イエロー染料（Ｙ−２）：Ｃ．Ｉ．ダイレクトイエロー８６、Ｃ．Ｉ．ダイレクトイエロー１３２及びＣ．Ｉ．ダイレクトイエロー１４２からなる群から選択される少なくとも一種の染料
マゼンタ染料（Ｍ−１）：式（Ｍ−１）で表される染料
マゼンタ染料（Ｍ−２）：式（Ｍ−２ａ）で表される染料、式（Ｍ−２ｂ）で表される染料、Ｃ．Ｉ．アシッドレッド１及びＣ．Ｉ．アシッドレッド２５４からなる群から選択される少なくとも一種の染料
シアン染料（Ｃ−１）：式（Ｃ−１）で表される染料
【化１】
2015085575.tif 000053
式（Ｙ−１）において、
Ｒ１、Ｒ２、Ｙ１及びＹ２は、それぞれ、一価の基であり、Ｒ１、Ｒ２、Ｙ１及びＹ２は同一でも異なっていてもよく、
Ｘ１及びＸ２は、それぞれ、電子吸引性基であり、Ｘ１及びＸ２は同一でも異なっていてもよく、
Ｚ１及びＺ２は、それぞれ、水素原子、置換又は無置換のアルキル基、置換又は無置換のアルケニル基、置換又は無置換のアルキニル基、置換又は無置換のアリール基、置換又は無置換のヘテロ環基であり、Ｚ１及びＺ２は同一でも異なっていてもよく、
Ｍ１は、水素原子、アルカリ金属原子、ＮＨ４又はＮＲ４（Ｒは、アルキル基又はアリール基）である。
【化２】
2015085575.tif 000054
式（Ｍ−１）において、
ｎ１は、１又は２であり、
３つのＭは、それぞれ、ナトリウム又はＮＨ４であり、３つのＭは同一でも異なっていてもよく、
Ｒ０は、カルボキシ基で置換された炭素原子数１〜８のモノアルキルアミノ基である。
【化３】
2015085575.tif 000055
式（Ｍ−２ａ）において、
Ｒ１１は、水素原子、置換又は無置換のアルキル基、置換又は無置換のアリール基であり、
Ｒ１２は、水素原子、ハロゲン原子又はシアノ基であり、
Ｒ１３は、水素原子、置換又は無置換のアルキル基、置換又は無置換のアリール基、置換又は無置換のヘテロ環基であり、
Ｒ１４、Ｒ１５、Ｒ１６及びＲ１７は、それぞれ、水素原子、置換又は無置換のアルキル基、置換又は無置換のアリール基、置換又は無置換のヘテロ環基、置換又は無置換のスルホニル基、置換又は無置換のアシル基であり、Ｒ１４、Ｒ１５、Ｒ１６及びＲ１７は同一でも異なっていてもよいが、Ｒ１４とＲ１５が共に水素原子であることはなく、Ｒ１６とＲ１７が共に水素原子であることはなく、
Ａ１及びＡ２は、双方が置換又は無置換の炭素原子であるか、若しくは一方が置換又は無置換の炭素原子であり、かつ、他方が炭素原子である。
【化４】
2015085575.tif 000056
式（Ｍ−２ｂ）において、
ｒは、０、１又は２であり、
Ｒ１８、Ｒ１９及びＲ２０は、それぞれ、置換又は無置換のアルキル基、置換又は無置換のアルコキシ基、ハロゲン原子、水素原子、ヒドロキシル基、置換又は無置換のカルバモイル基、置換又は無置換のスルファモイル基、置換又は無置換のアミノ基、ニトロ基、スルホン酸エステル基、置換又は無置換のアルキルスルホニル基、置換又は無置換のアリールスルホニル基、カルボキシ基、カルボン酸エステル基であり、Ｒ１８、Ｒ１９及びＲ２０は同一でも異なっていてもよく、
Ｒ２１、Ｒ２２及びＲ２３は、それぞれ、水素原子、置換又は無置換のアルキル基、置換又は無置換のアルケニル基、置換又は無置換のアリール基、置換又は無置換の脂環基、置換又は無置換のヘテロ環基であり、Ｒ２１、Ｒ２２及びＲ２３は同一でも異なっていてもよい。
【化５】
2015085575.tif 000057
式（Ｃ−１）において、
環Ａ３１、Ａ３２及びＡ３３は、それぞれ、ベンゼン環、２，３−ピリジン環及び３，２−ピリジン環からなる群から選択される少なくとも一つであり、かつ、環Ａ３１、Ａ３２及びＡ３３の少なくとも一つは、２，３−ピリジン環又は３，２−ピリジン環であり、環Ａ３１、Ａ３２及びＡ３３は同一でも異なっていてもよく、
ａは、０≦ａ≦４を満たし、ｂは、０≦ｂ≦４を満たし、ｃは、０≦ｃ≦４を満たし、かつ、ａ、ｂ及びｃは、０≦ａ＋ｂ＋ｃ≦４を満たし、
ｚは、１≦ｚ≦３を満たす整数であり、
Ｒ３０は、炭素原子数１〜６の直鎖アルキレン基である。
【請求項３】
前記制御手段が、前記インク吐出手段を、下記（Ａ２）の条件を満たすように制御して、コンポジットブラックを形成することを特徴とする請求項１又は２記載のインクジェット記録装置。
（Ａ２）  ０．６８≦Ｃ／（Ｙ＋Ｍ）
Ｙ：前記イエロー染料の光沢紙２５．４ｍｍ×２５．４ｍｍあたりの滴下量（ｎｇ）
Ｍ：前記マゼンタ染料の光沢紙２５．４ｍｍ×２５．４ｍｍあたりの滴下量（ｎｇ）
Ｃ：前記シアン染料の光沢紙２５．４ｍｍ×２５．４ｍｍあたりの滴下量（ｎｇ）
【請求項４】
前記水性イエローインク全量に対し、前記イエロー染料の総配合量が、２重量％〜６重量％であり、
前記水性マゼンタインク全量に対し、前記マゼンタ染料の総配合量が、２重量％〜６重量％であり、
前記シアンインク全量に対し、前記シアン染料の総配合量が、２重量％〜７重量％であることを特徴とする請求項１〜３のいずれか一項に記載のインクジェット記録装置。
【請求項５】
前記光沢紙が、空隙型のレジンコート層を有する光沢紙であることを特徴とする請求項１〜４のいずれか一項に記載のインクジェット記録装置。
【請求項６】
下記水性イエローインク、水性マゼンタインク及び水性シアンインクを用いて記録するインクジェット記録方法であって、
下記（Ａ）及び（Ｂ）の条件を満たすように、光沢紙上にコンポジットブラックを形成するコンポジットブラック形成工程を含むことを特徴とするインクジェット記録方法。
（Ａ）    ０．６６≦Ｃ／（Ｙ＋Ｍ）
（Ｂ）    ５３０≦Ｙ＋Ｍ＋Ｃ≦６００
Ｙ：下記イエロー染料の光沢紙２５．４ｍｍ×２５．４ｍｍあたりの滴下量（ｎｇ）
Ｍ：下記マゼンタ染料の光沢紙２５．４ｍｍ×２５．４ｍｍあたりの滴下量（ｎｇ）
Ｃ：下記シアン染料の光沢紙２５．４ｍｍ×２５．４ｍｍあたりの滴下量（ｎｇ）
水性イエローインク：イエロー染料を含み、記録媒体上でのＣＩＥＬＡＢ色空間において定義される色相角∠Ｈ゜が、８０°〜１００°である水性インク
水性マゼンタインク：マゼンタ染料を含み、前記色相角∠Ｈ゜が、０°〜５°又は３４５°〜３６０°である水性インク
水性シアンインク：シアン染料を含み、前記色相角∠Ｈ゜が、２２０°〜２４０°である水性インク
【請求項７】
前記イエロー染料が、下記イエロー染料（Ｙ−１）及びイエロー染料（Ｙ−２）を含み、
前記マゼンタ染料が、下記マゼンタ染料（Ｍ−１）及びマゼンタ染料（Ｍ−２）を含み、
前記シアン染料が、下記シアン染料（Ｃ−１）を含むことを特徴とする請求項６記載のインクジェット記録方法。
イエロー染料（Ｙ−１）：式（Ｙ−１）で表される染料
イエロー染料（Ｙ−２）：Ｃ．Ｉ．ダイレクトイエロー８６、Ｃ．Ｉ．ダイレクトイエロー１３２及びＣ．Ｉ．ダイレクトイエロー１４２からなる群から選択される少なくとも一種の染料
マゼンタ染料（Ｍ−１）：式（Ｍ−１）で表される染料
マゼンタ染料（Ｍ−２）：式（Ｍ−２ａ）で表される染料、式（Ｍ−２ｂ）で表される染料、Ｃ．Ｉ．アシッドレッド１及びＣ．Ｉ．アシッドレッド２５４からなる群から選択される少なくとも一種の染料
シアン染料（Ｃ−１）：式（Ｃ−１）で表される染料
【化６】
2015085575.tif 000058
式（Ｙ−１）において、
Ｒ１、Ｒ２、Ｙ１及びＹ２は、それぞれ、一価の基であり、Ｒ１、Ｒ２、Ｙ１及びＹ２は同一でも異なっていてもよく、
Ｘ１及びＸ２は、それぞれ、電子吸引性基であり、Ｘ１及びＸ２は同一でも異なっていてもよく、
Ｚ１及びＺ２は、それぞれ、水素原子、置換又は無置換のアルキル基、置換又は無置換のアルケニル基、置換又は無置換のアルキニル基、置換又は無置換のアリール基、置換又は無置換のヘテロ環基であり、Ｚ１及びＺ２は同一でも異なっていてもよく、
Ｍ１は、水素原子、アルカリ金属原子、ＮＨ４又はＮＲ４（Ｒは、アルキル基又はアリール基）である。
【化７】
2015085575.tif 000059
式（Ｍ−１）において、
ｎ１は、１又は２であり、
３つのＭは、それぞれ、ナトリウム又はＮＨ４であり、３つのＭは同一でも異なっていてもよく、
Ｒ０は、カルボキシ基で置換された炭素原子数１〜８のモノアルキルアミノ基である。
【化８】
2015085575.tif 000060
式（Ｍ−２ａ）において、
Ｒ１１は、水素原子、置換又は無置換のアルキル基、置換又は無置換のアリール基であり、
Ｒ１２は、水素原子、ハロゲン原子又はシアノ基であり、
Ｒ１３は、水素原子、置換又は無置換のアルキル基、置換又は無置換のアリール基、置換又は無置換のヘテロ環基であり、
Ｒ１４、Ｒ１５、Ｒ１６及びＲ１７は、それぞれ、水素原子、置換又は無置換のアルキル基、置換又は無置換のアリール基、置換又は無置換のヘテロ環基、置換又は無置換のスルホニル基、置換又は無置換のアシル基であり、Ｒ１４、Ｒ１５、Ｒ１６及びＲ１７は同一でも異なっていてもよいが、Ｒ１４とＲ１５が共に水素原子であることはなく、Ｒ１６とＲ１７が共に水素原子であることはなく、
Ａ１及びＡ２は、双方が置換又は無置換の炭素原子であるか、若しくは一方が置換又は無置換の炭素原子であり、かつ、他方が炭素原子である。
【化９】
2015085575.tif 000061
式（Ｍ−２ｂ）において、
ｒは、０、１又は２であり、
Ｒ１８、Ｒ１９及びＲ２０は、それぞれ、置換又は無置換のアルキル基、置換又は無置換のアルコキシ基、ハロゲン原子、水素原子、ヒドロキシル基、置換又は無置換のカルバモイル基、置換又は無置換のスルファモイル基、置換又は無置換のアミノ基、ニトロ基、スルホン酸エステル基、置換又は無置換のアルキルスルホニル基、置換又は無置換のアリールスルホニル基、カルボキシ基、カルボン酸エステル基であり、Ｒ１８、Ｒ１９及びＲ２０は同一でも異なっていてもよく、
Ｒ２１、Ｒ２２及びＲ２３は、それぞれ、水素原子、置換又は無置換のアルキル基、置換又は無置換のアルケニル基、置換又は無置換のアリール基、置換又は無置換の脂環基、置換又は無置換のヘテロ環基であり、Ｒ２１、Ｒ２２及びＲ２３は同一でも異なっていてもよい。
【化１０】
2015085575.tif 000062
式（Ｃ−１）において、
環Ａ３１、Ａ３２及びＡ３３は、それぞれ、ベンゼン環、２，３−ピリジン環及び３，２−ピリジン環からなる群から選択される少なくとも一つであり、かつ、環Ａ３１、Ａ３２及びＡ３３の少なくとも一つは、２，３−ピリジン環又は３，２−ピリジン環であり、環Ａ３１、Ａ３２及びＡ３３は同一でも異なっていてもよく、
ａは、０≦ａ≦４を満たし、ｂは、０≦ｂ≦４を満たし、ｃは、０≦ｃ≦４を満たし、かつ、ａ、ｂ及びｃは、０≦ａ＋ｂ＋ｃ≦４を満たし、
ｚは、１≦ｚ≦３を満たす整数であり、
Ｒ３０は、炭素原子数１〜６の直鎖アルキレン基である。
【請求項８】
前記コンポジットブラック形成工程において、下記（Ａ２）の条件を満たすように、光沢紙上にコンポジットブラックを形成することを特徴とする請求項６又は７記載のインクジェット記録方法。
（Ａ２）  ０．６８≦Ｃ／（Ｙ＋Ｍ）
Ｙ：下記イエロー染料の光沢紙２５．４ｍｍ×２５．４ｍｍあたりの滴下量（ｎｇ）
Ｍ：下記マゼンタ染料の光沢紙２５．４ｍｍ×２５．４ｍｍあたりの滴下量（ｎｇ）
Ｃ：下記シアン染料の光沢紙２５．４ｍｍ×２５．４ｍｍあたりの滴下量（ｎｇ）
【請求項９】
前記水性イエローインク全量に対し、前記イエロー染料の総配合量が、２重量％〜６重量％であり、
前記水性マゼンタインク全量に対し、前記マゼンタ染料の総配合量が、２重量％〜６重量％であり、
前記シアンインク全量に対し、前記シアン染料の総配合量が、２重量％〜７重量％であることを特徴とする請求項６〜８のいずれか一項に記載のインクジェット記録方法。
【請求項１０】
前記光沢紙が、空隙型のレジンコート層を有する光沢紙であることを特徴とする請求項６〜９のいずれか一項に記載のインクジェット記録方法。
【請求項１１】
請求項６〜１０のいずれか一項に記載のインクジェット記録方法により記録されたことを特徴とする記録物。
【請求項１２】
下記水性イエローインク、水性マゼンタインク及び水性シアンインクを用いて、下記（Ａ）及び（Ｂ）の条件を満たすように、光沢紙上に形成されたことを特徴とするコンポジットブラック。
（Ａ）    ０．６６≦Ｃ／（Ｙ＋Ｍ）
（Ｂ）    ５３０≦Ｙ＋Ｍ＋Ｃ≦６００
Ｙ：下記イエロー染料の光沢紙２５．４ｍｍ×２５．４ｍｍあたりの滴下量（ｎｇ）
Ｍ：下記マゼンタ染料の光沢紙２５．４ｍｍ×２５．４ｍｍあたりの滴下量（ｎｇ）
Ｃ：下記シアン染料の光沢紙２５．４ｍｍ×２５．４ｍｍあたりの滴下量（ｎｇ）
水性イエローインク：イエロー染料を含み、記録媒体上でのＣＩＥＬＡＢ色空間において定義される色相角∠Ｈ゜が、８０°〜１００°である水性インク
水性マゼンタインク：マゼンタ染料を含み、前記色相角∠Ｈ゜が、０°〜５°又は３４５°〜３６０°である水性インク
水性シアンインク：シアン染料を含み、前記色相角∠Ｈ゜が、２２０°〜２４０°である水性インク
【発明の詳細な説明】
【技術分野】
【０００１】
本発明は、インクジェット記録装置、インクジェット記録方法、記録物及びコンポジットブラックに関する。
【背景技術】
【０００２】
記録媒体上で、定着性に優れ、かつ、水性イエローインク、水性マゼンタインク及び水性シアンインクを混合してコンポジットブラックを形成するのに適したインクジェット記録用水性インクセット（以下、「水性インクセット」又は「インクセット」と言うことがある。）が各種提案されている（例えば、特許文献１参照）。
【先行技術文献】
【特許文献】
【０００３】
【特許文献１】特開２０１０−３７５０４号公報
【発明の概要】
【発明が解決しようとする課題】
【０００４】
しかし、前記水性インクセットには、コンポジットブラックの光学濃度（ＯＤ値）の向上が求められている。
【０００５】
そこで、本発明は、コンポジットブラックの光学濃度（ＯＤ値）を向上可能で、かつ、定着性にも優れたインクジェット記録装置、インクジェット記録方法、記録物を提供することを目的とする。また、本発明は、光学濃度（ＯＤ値）を向上可能で、かつ、定着性にも優れたコンポジットブラックを提供することを目的とする。
【課題を解決するための手段】
【０００６】
前記目的を達成するために、本発明のインクジェット記録装置は、
インク収容部及びインク吐出手段を含み、
前記インク収容部に、下記水性イエローインク、水性マゼンタインク及び水性シアンインクを収容可能なインクジェット記録装置であって、
さらに、制御手段を含み、
前記制御手段は、前記インク吐出手段を、下記（Ａ）及び（Ｂ）の条件を満たすように制御して、光沢紙上にコンポジットブラックを形成することを特徴とする。
（Ａ）    ０．６６≦Ｃ／（Ｙ＋Ｍ）
（Ｂ）    ５３０≦Ｙ＋Ｍ＋Ｃ≦６００
Ｙ：下記イエロー染料の光沢紙２５．４ｍｍ×２５．４ｍｍあたりの滴下量（ｎｇ）
Ｍ：下記マゼンタ染料の光沢紙２５．４ｍｍ×２５．４ｍｍあたりの滴下量（ｎｇ）
Ｃ：下記シアン染料の光沢紙２５．４ｍｍ×２５．４ｍｍあたりの滴下量（ｎｇ）
水性イエローインク：イエロー染料を含み、記録媒体上でのＣＩＥＬＡＢ色空間において定義される色相角∠Ｈ°が、８０°〜１００°である水性インク
水性マゼンタインク：マゼンタ染料を含み、前記色相角∠Ｈが、０°〜５°又は３４５°〜３６０°である水性インク
水性シアンインク：シアン染料を含み、前記色相角∠Ｈ°が、２２０°〜２４０°である水性インク
【０００７】
本発明のインクジェット記録方法は、
前記水性イエローインク、水性マゼンタインク及び水性シアンインクを用いて記録するインクジェット記録方法であって、
前記（Ａ）及び（Ｂ）の条件を満たすように、光沢紙上にコンポジットブラックを形成することを特徴とする。
【０００８】
本発明の記録物は、本発明のインクジェット記録方法により記録されたことを特徴とする。
【０００９】
本発明のコンポジットブラックは、前記水性イエローインク、水性マゼンタインク及び水性シアンインクを用いて、前記（Ａ）及び（Ｂ）の条件を満たすように、光沢紙上に形成されたことを特徴とする。
【発明の効果】
【００１０】
本発明によれば、水性イエローインク、水性マゼンタインク及び水性シアンインクの色相角を所定の範囲とし、かつ、光沢紙の所定面積に滴下するイエロー染料、マゼンタ染料及びシアン染料を前記（Ａ）及び（Ｂ）の条件を満たすように制御することで、コンポジットブラックの光学濃度（ＯＤ値）を向上可能で、かつ、定着性にも優れる。
【図面の簡単な説明】
【００１１】
【図１】図１（Ａ）は、本発明におけるコンポジットブラックの形成の一例を示すフローチャートであり、図１（Ｂ）は、本発明のインクジェット記録装置のインクカートリッジ（インク収容部）、インクジェットヘッド（インク吐出手段）及び制御手段の関係を示すブロック図である。
【図２】図２は、本発明のインクジェット記録装置の構成の一例を示す概略斜視図である。
【発明を実施するための形態】
【００１２】
本発明において、「光沢紙」とは、例えば、記録面に少なくとも一層以上の塗工層を有する記録用紙のことをいう。前記光沢紙としては、例えば、ブラザー工業（株）製の写真光沢紙ＢＰ６１Ｇ及びＢＰ７１Ｇ；富士フイルム（株）製のインクジェットペーパー画彩写真仕上げＰｒｏ；コダック（株）製の最高級光沢紙ＰＷＲＡ４−２０；等があげられる。
【００１３】
前述のように、本発明のインクジェット記録装置及びインクジェット記録方法では、前記水性イエローインク、水性マゼンタインク及び水性シアンインクを用いて記録する。
【００１４】
（水性イエローインク）
前述のとおり、前記水性イエローインクは、イエロー染料を含み、記録媒体上でのＣＩＥＬＡＢ色空間において定義される色相角∠Ｈ°が、８０°〜１００°である。イエロー染料を含み、前記色相角∠Ｈ°が８０°〜１００°でありさえすれば、前記水性イエローインクの組成は、特に制限されない。
【００１５】
前記イエロー染料は、下記イエロー染料（Ｙ−１）及び下記イエロー染料（Ｙ−２）を含むことが好ましい。
イエロー染料（Ｙ−１）：式（Ｙ−１）で表される染料
イエロー染料（Ｙ−２）：Ｃ．Ｉ．ダイレクトイエロー８６、Ｃ．Ｉ．ダイレクトイエロー１３２及びＣ．Ｉ．ダイレクトイエロー１４２からなる群から選択される少なくとも一種の染料
【化１】
2015085575.tif 000003
【００１６】
式（Ｙ−１）において、Ｒ１、Ｒ２、Ｙ１及びＹ２は、それぞれ、一価の基であり、Ｒ１、Ｒ２、Ｙ１及びＹ２は同一でも異なっていてもよい。前記一価の基は、水素原子、又は一価の置換基である。前記一価の置換基としては、例えば、ハロゲン原子；アルキル基；シクロアルキル基；アラルキル基；アルケニル基；アルキニル基；アリール基；ヘテロ環基；シアノ基；ヒドロキシル基；ニトロ基；アルコキシ基；アリールオキシ基；シリルオキシ基；ヘテロ環オキシ基；アシルオキシ基；カルバモイルオキシ基；アルコキシカルボニルオキシ基；アリールオキシカルボニルオキシ基；アルキルアミノ基、アリールアミノ基等のアミノ基；アミド基；アシルアミノ基；ウレイド基；アミノカルボニルアミノ基；アルコキシカルボニルアミノ基；アリールオキシカルボニルアミノ基；スルファモイルアミノ基；アルキルスルホニルアミノ基；アリールスルホニルアミノ基；アルキルチオ基；アリールチオ基；ヘテロ環チオ基；スルファモイル基；アルキルスルフィニル基；アリールスルフィニル基；アルキルスルホニル基；アリールスルホニル基；アシル基；アリールオキシカルボニル基；アルコキシカルボニル基；カルバモイル基；ホスフィノ基；ホスフィニル基；ホスフィニルオキシ基；ホスフィニルアミノ基；シリル基；アゾ基；イミド基等があげられる。前記一価の置換基は、さらに置換基を有していてもよい。これらの中でも、好ましい前記一価の置換基は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基であり、より好ましくは、水素原子、アルキル基、アリール基、シアノ基、アルキルスルホニル基である。
【００１７】
式（Ｙ−１）において、前記ハロゲン原子は、塩素原子、臭素原子又はヨウ素原子である。これらの中でも、好ましくは、塩素原子、臭素原子である。
【００１８】
式（Ｙ−１）において、前記アルキル基は、置換又は無置換のアルキル基を含む。前記置換又は無置換のアルキル基は、好ましくは、炭素原子数１〜３０のアルキル基である。前記アルキル基としては、例えば、メチル基、エチル基、ブチル基、ｔｅｒｔ−ブチル基、ｎ−オクチル基、エイコキシ基、２−クロロエチル基、ヒドロキシエチル基、シアノエチル基、４−スルホブチル基等があげられる。前記置換アルキル基の置換基としては、例えば、メチル基、エチル基、プロピル基、イソプロピル基、ｓｅｃ−ブチル基、ｔｅｒｔ−ブチル基、２−エチルへキシル基、２−メチルスルホニルエチル基、３−フェノキシプロピル基、トリフルオロメチル基等の炭素原子数１〜１２の直鎖又は分岐鎖アルキル基；炭素原子数７〜１８の直鎖又は分岐鎖アラルキル基；炭素原子数２〜１２の直鎖又は分岐鎖アルケニル基；炭素原子数２〜１２の直鎖又は分岐鎖アルキニル基；シクロペンチル基等の炭素原子数３〜１２の直鎖又は分岐鎖シクロアルキル基；炭素原子数３〜１２の直鎖又は分岐鎖シクロアルケニル基；塩素原子、臭素原子等のハロゲン原子；フェニル基、４−ｔｅｒｔ−ブチルフェニル基、２，４−ジ−ｔｅｒｔ−アミルフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メチルスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブチルオキシカルボニルフェノキシ基、３−メトキシカルボニルフェニルオキシ基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアリールアミノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メチルスルホニルアミノ基等のアルキルスルホニルアミノ基；フェニルスルホニルアミノ基、ｐ−トルエンスルホニルアミノ基等のアリールスルホニルアミノ基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メチルスルホニル基、オクチルスルホニル基、フェニルスルホニル基、ｐ−トルエンスルホニル基等のスルホニル基；メトキシカルボニル基、ブチルオキシカルボニル基等のアルコキシカルボニル基；１−フェニルテトラゾール−５−オキシ基、２−テトラヒドロピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジ−フェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシ基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基及び前記シクロアルケニル基は、染料の溶解性及び水性イエローインクの安定性を向上させる観点から、分岐鎖を有するものが好ましく、不斉炭素を有するものが特に好ましい。これらの中でも、好ましい前記置換アルキル基の置換基は、ヒドロキシル基、アルコキシ基、シアノ基、ハロゲン原子、スルホ基（塩の形でもよい）、カルボキシ基（塩の形でもよい）である。
【００１９】
式（Ｙ−１）において、前記シクロアルキル基は、置換又は無置換のシクロアルキル基を含む。前記置換又は無置換のシクロアルキル基は、好ましくは、炭素原子数５〜３０のシクロアルキル基である。前記置換シクロアルキル基の置換基としては、例えば、前記置換アルキル基の置換基としてあげたような置換基と同じものがあげられる。前記シクロアルキル基としては、例えば、シクロへキシル基、シクロペンチル基、４−ｎ−ドデシルシクロへキシル基等があげられる。
【００２０】
式（Ｙ−１）において、前記アラルキル基は、置換又は無置換のアラルキル基を含む。前記置換又は無置換のアラルキル基は、好ましくは、炭素原子数７〜３０のアラルキル基である。前記置換アラルキル基の置換基としては、例えば、前記置換アルキル基の置換基としてあげたような置換基と同じものがあげられる。前記アラルキル基としては、例えば、ベンジル基、２−フェネチル基等があげられる。
【００２１】
式（Ｙ−１）において、前記アルケニル基は、直鎖、分岐、環状の置換又は無置換のアルケニル基である。前記アルケニル基は、好ましくは、炭素原子数２〜３０の置換又は無置換のアルケニル基である。前記置換アルケニル基の置換基としては、例えば、前記置換アルキル基の置換基としてあげたような置換基と同じものがあげられる。前記アルケニル基としては、例えば、ビニル基、アリル基、プレニル基、ゲラニル基、オレイル基、２−シクロペンテン−１−イル基、シクロヘキセン−１−イル基等があげられる。
【００２２】
式（Ｙ−１）において、前記アルキニル基は、炭素原子数２〜３０の置換又は無置換のアルキニル基である。前記置換アルキニル基の置換基としては、例えば、前記置換アルキル基の置換基としてあげたような置換基と同じものがあげられる。前記アルキニル基としては、例えば、エチニル基、プロパルギル基等がある。
【００２３】
式（Ｙ−１）において、前記アリール基は、炭素原子数６〜３０の置換又は無置換のアリール基である。前記アリール基としては、例えば、フェニル基、ｐ−トリル基、ナフチル基、ｍ−クロロフェニル基、ｏ−ヘキサデカノイルアミノフェニル基等があげられる。前記置換アリール基の置換基としては、例えば、前記置換アルキル基の置換基としてあげたような置換基と同じものがあげられる。
【００２４】
式（Ｙ−１）において、前記へテロ環基は、５又は６員の置換又は無置換の、芳香族又は非芳香族のヘテロ環化合物から一個の水素原子を取り除いた一価の基であり、それらは更に縮環していてもよい。前記ヘテロ環基は、好ましくは、炭素原子数３〜３０の５又は６員の芳香族のヘテロ環基である。前記置換へテロ環基の置換基としては、例えば、前記置換アルキル基の置換基としてあげたような置換基と同じものがあげられる。前記へテロ環基としては、置換位置を限定しないと、例えば、ピリジン基、ピラジン基、ピリダジン基、ピリミジン基、トリアジン基、キノリン基、イソキノリン基、キナゾリン基、シンノリン基、フタラジン基、キノキサリン基、ピロール基、インドール基、フラン基、ベンゾフラン基、チオフェン基、ベンゾチオフェン基、ピラゾール基、イミダゾール基、ベンズイミダゾール基、トリアゾール基、オキサゾール基、ベンズオキサゾール基、チアゾール基、ベンゾチアゾール基、イソチアゾール基、ベンズイソチアゾール基、チオジアゾール基、イソオキサゾール基、ベンズイソオキサゾール基、ピロリジン基、ピペリジン基、ピペラジン基、イミダゾリジン基、チアゾリン基等があげられる。
【００２５】
式（Ｙ−１）において、前記アルコキシ基は、置換又は無置換のアルコキシ基を含む。前記置換又は無置換のアルコキシ基は、好ましくは、炭素原子数１〜３０のアルコキシ基である。前記置換アルコキシ基の置換基としては、例えば、前記置換アルキル基の置換基としてあげたような置換基と同じものがあげられる。前記アルコキシ基としては、例えば、メトキシ基、エトキシ基、イソプロポキシ基、ｎ−オクチルオキシ基、メトキシエトキシ基、ヒドロキシエトキシ基、３−カルボキシプロポキシ基等があげられる。
【００２６】
式（Ｙ−１）において、前記アリールオキシ基は、好ましくは、炭素原子数６〜３０の置換又は無置換のアリールオキシ基である。前記置換アリールオキシ基の置換基としては、例えば、前記置換アルキル基の置換基としてあげたような置換基と同じものがあげられる。前記アリールオキシ基としては、例えば、フェノキシ基、２−メチルフェノキシ基、４−ｔｅｒｔ−ブチルフェノキシ基、３−ニトロフェノキシ基、２−テトラデカノイルアミノフェノキシ基等があげられる。
【００２７】
式（Ｙ−１）において、前記シリルオキシ基とは、好ましくは、炭素原子数３〜２０のシリルオキシ基である。前記シリルオキシ基としては、例えば、トリメチルシリルオキシ基、ｔｅｒｔ−ブチルジメチルシリルオキシ基等があげられる。
【００２８】
式（Ｙ−１）において、前記へテロ環オキシ基は、好ましくは、炭素原子数２〜３０の置換又は無置換のヘテロ環オキシ基である。前記置換ヘテロ環オキシ基の置換基としては、例えば、前記置換アルキル基の置換基としてあげたような置換基と同じものがあげられる。前記へテロ環オキシ基としては、例えば、１−フェニルテトラゾール−５−オキシ基、２−テトラヒドロピラニルオキシ基等があげられる。
【００２９】
式（Ｙ−１）において、前記アシルオキシ基は、好ましくは、ホルミルオキシ基、炭素原子数２〜３０の置換又は無置換のアルキルカルボニルオキシ基、炭素原子数６〜３０の置換又は無置換のアリールカルボニルオキシ基である。前記置換アルキルカルボニルオキシ基及び前記置換アリールカルボニルオキシ基の置換基としては、例えば、前記置換アルキル基の置換基としてあげたような置換基と同じものがあげられる。前記アシルオキシ基としては、例えば、ホルミルオキシ基、アセチルオキシ基、ピバロイルオキシ基、ステアロイルオキシ基、ベンゾイルオキシ基、ｐ−メトキシフェニルカルボニルオキシ基等があげられる。
【００３０】
式（Ｙ−１）において、前記カルバモイルオキシ基は、好ましくは、炭素原子数１〜３０の置換又は無置換のカルバモイルオキシ基である。前記置換カルバモイルオキシ基の置換基としては、例えば、前記置換アルキル基の置換基としてあげたような置換基と同じものがあげられる。前記カルバモイルオキシ基としては、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等があげられる。
【００３１】
式（Ｙ−１）において、前記アルコキシカルボニルオキシ基は、好ましくは、炭素原子数２〜３０の置換又は無置換のアルコキシカルボニルオキシ基である。前記置換アルコキシカルボニルオキシ基の置換基としては、例えば、前記置換アルキル基の置換基としてあげたような置換基と同じものがあげられる。前記アルコキシカルボニルオキシ基としては、例えば、メトキシカルボニルオキシ基、エトキシカルボニルオキシ基、ｔｅｒｔ−ブトキシカルボニルオキシ基、ｎ−オクチルカルボニルオキシ基等があげられる。
【００３２】
式（Ｙ−１）において、前記アリールオキシカルボニルオキシ基は、好ましくは、炭素原子数７〜３０の置換又は無置換のアリールオキシカルボニルオキシ基である。前記アリールオキシカルボニルオキシ基の置換基としては、例えば、前記置換アルキル基の置換基としてあげたような置換基と同じものがあげられる。前記アリールオキシカルボニルオキシ基としては、例えば、フェノキシカルボニルオキシ基、ｐ−メトキシフェノキシカルボニルオキシ基、ｐ−ｎ−ヘキサデシルオキシフェノキシカルボニルオキシ基等があげられる。
【００３３】
式（Ｙ−１）において、前記アミノ基は、好ましくは、炭素原子数１〜３０の置換又は無置換のアルキルアミノ基、炭素原子数６〜３０の置換又は無置換のアリールアミノ基である。前記置換アルキルアミノ基及び前記置換アリールアミノ基の置換基としては、例えば、前記置換アルキル基の置換基としてあげたような置換基と同じものがあげられる。前記アミノ基としては、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基等があげられる。
【００３４】
式（Ｙ−１）において、前記アシルアミノ基は、好ましくは、ホルミルアミノ基、炭素原子数１〜３０の置換又は無置換のアルキルカルボニルアミノ基、炭素原子数６〜３０の置換又は無置換のアリールカルボニルアミノ基である。前記置換アルキルカルボニルアミノ基及び前記置換アリールカルボニルアミノ基の置換基としては、例えば、前記置換アルキル基の置換基としてあげたような置換基と同じものがあげられる。前記アシルアミノ基としては、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基等があげられる。
【００３５】
式（Ｙ−１）において、前記アミノカルボニルアミノ基は、好ましくは、炭素原子数１〜３０の置換又は無置換のアミノカルボニルアミノ基である、前記置換アミノカルボニルアミノ基の置換基としては、例えば、前記置換アルキル基の置換基としてあげたような置換基と同じものがあげられる。前記アミノカルボニルアミノ基としては、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等があげられる。
【００３６】
式（Ｙ−１）において、前記アルコキシカルボニルアミノ基は、好ましくは、炭素原子数２〜３０の置換又は無置換のアルコキシカルボニルアミノ基である。前記置換アルコキシカルボニルアミノ基の置換基としては、例えば、前記置換アルキル基の置換基としてあげたような置換基と同じものがあげられる。前記アルコキシカルボニルアミノ基としては、例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチル−メトキシカルボニルアミノ基等があげられる。
【００３７】
式（Ｙ−１）において、前記アリールオキシカルボニルアミノ基は、好ましくは、炭素原子数７〜３０の置換又は無置換のアリールオキシカルボニルアミノ基である。前記置換アリールオキシカルボニルアミノ基の置換基としては、例えば、前記置換アルキル基の置換基としてあげたような置換基と同じものがあげられる。前記アリールオキシカルボニルアミノ基としては、例えば、フェノキシカルボニルアミノ基、ｐ−クロロフェノキシカルボニルアミノ基、ｍ−ｎ−オクチルオキシフェノキシカルボニルアミノ基等があげられる。
【００３８】
式（Ｙ−１）において、前記スルファモイルアミノ基は、好ましくは、炭素原子数０〜３０の置換又は無置換のスルファモイルアミノ基である。前記置換スルファモイルアミノ基の置換基としては、例えば、前記置換アルキル基の置換基としてあげたような置換基と同じものがあげられる。前記スルファモイルアミノ基としては、例えば、スルファモイルアミノ基、Ｎ，Ｎ−ジメチルアミノスルホニルアミノ基、Ｎ−ｎ−オクチルアミノスルホニルアミノ基等があげられる。
【００３９】
式（Ｙ−１）において、前記アルキルスルホニルアミノ基は、好ましくは、炭素原子数１〜３０の置換又は無置換のアルキルスルホニルアミノ基である。前記置換アルキルスルホニルアミノ基の置換基としては、例えば、前記置換アルキル基の置換基としてあげたような置換基と同じものがあげられる。前記アルキルスルホニルアミノ基としては、例えば、メチルスルホニルアミノ基、ブチルスルホニルアミノ基等があげられる。
【００４０】
式（Ｙ−１）において、前記アリールスルホニルアミノ基は、好ましくは、炭素原子数６〜３０の置換又は無置換のアリールスルホニルアミノ基である。前記置換アリールスルホニルアミノ基の置換基としては、例えば、前記置換アルキル基の置換基としてあげたような置換基と同じものがあげられる。前記アリールスルホニルアミノ基としては、例えば、フェニルスルホニルアミノ基、２，３，５−トリクロロフェニルスルホニルアミノ基、ｐ−メチルフェニルスルホニルアミノ基等があげられる。
【００４１】
式（Ｙ−１）において、前記アルキルチオ基は、好ましくは、炭素原子数１〜３０の置換又は無置換のアルキルチオ基である。前記置換アルキルチオ基の置換基としては、例えば、前記置換アルキル基の置換基としてあげたような置換基と同じものがあげられる。前記アルキルチオ基としては、例えば、メチルチオ基、エチルチオ基、ｎ−へキシルチオ基等があげられる。
【００４２】
式（Ｙ−１）において、前記アリールチオ基は、好ましくは、炭素原子数６〜３０の置換又は無置換のアリールチオ基である。前記置換アリールチオ基の置換基としては、例えば、前記置換アルキル基の置換基としてあげたような置換基と同じものがあげられる。前記アリールチオ基としては、例えば、フェニルチオ基、ｐ−クロロフェニルチオ基、ｍ−メトキシフェニルチオ基等があげられる。
【００４３】
式（Ｙ−１）において、前記ヘテロ環チオ基は、好ましくは、炭素原子数２〜３０の置換又は無置換のヘテロ環チオ基である。前記置換ヘテロ環チオ基の置換基としては、例えば、前記置換アルキル基の置換基としてあげたような置換基と同じものがあげられる。前記ヘテロ環チオ基としては、例えば、２−ベンゾチアゾリルチオ基、１−フェニルテトラゾール−５−イルチオ基等があげられる。
【００４４】
式（Ｙ−１）において、前記スルファモイル基は、好ましくは、炭素原子数０〜３０の置換又は無置換のスルファモイル基である。前記置換スルファモイル基の置換基としては、例えば、前記置換アルキル基の置換基としてあげたような置換基と同じものがあげられる。前記スルファモイル基としては、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等があげられる。
【００４５】
式（Ｙ−１）において、前記アルキルスルフィニル基は、好ましくは、炭素原子数１〜３０の置換又は無置換のアルキルスルフィニル基である。前記置換アルキルスルフィニル基の置換基としては、例えば、前記置換アルキル基の置換基としてあげたような置換基と同じものがあげられる。前記アルキルスルフィニル基としては、例えば、メチルスルフィニル基、エチルスルフィニル基等があげられる。
【００４６】
式（Ｙ−１）において、前記アリールスルフィニル基は、好ましくは、炭素原子数６〜３０の置換又は無置換のアリールスルフィニル基である。前記置換アリールスルフィニル基の置換基としては、例えば、前記置換アルキル基の置換基としてあげたような置換基と同じものがあげられる。前記アリールスルフィニル基としては、例えば、フェニルスルフィニル基、ｐ−メチルスルフィニル基等があげられる。
【００４７】
式（Ｙ−１）において、前記アルキルスルホニル基は、好ましくは、炭素原子数１〜３０の置換又は無置換のアルキルスルホニル基である。前記置換アルキルスルホニル基の置換基としては、例えば、前記置換アルキル基の置換基としてあげたような置換基と同じものがあげられる。前記アルキルスルホニル基としては、例えば、メチルスルホニル基、エチルスルホニル基等があげられる。
【００４８】
式（Ｙ−１）において、前記アリールスルホニル基は、好ましくは、炭素原子数６〜３０の置換又は無置換のアリールスルホニル基である。前記置換アリールスルホニル基の置換基としては、例えば、前記置換アルキル基の置換基としてあげたような置換基と同じものがあげられる。前記アリールスルホニル基としては、例えば、フェニルスルホニル基、ｐ−トルエンスルホニル基等があげられる。
【００４９】
式（Ｙ−１）において、前記アシル基は、好ましくは、ホルミル基、炭素原子数２〜３０の置換又は無置換のアルキルカルボニル基、炭素原子数７〜３０の置換又は無置換のアリールカルボニル基、炭素原子数４〜３０の置換又は無置換の炭素原子でカルボニル基と結合しているヘテロ環カルボニル基である。前記置換アルキルカルボニル基、前記置換アリールカルボニル基、前記置換ヘテロ環カルボニル基の置換基としては、例えば、前記置換アルキル基の置換基としてあげたような置換基と同じものがあげられる。前記アシル基としては、例えば、アセチル基、ピバロイル基、２−クロロアセチル基、ステアロイル基、ベンゾイル基、ｐ−ｎ−オクチルオキシカルボニル基、２−ピリジルカルボニル基、２−フリルカルボニル基等があげられる。
【００５０】
式（Ｙ−１）において、前記アリールオキシカルボニル基は、好ましくは、炭素原子数７〜３０の置換又は無置換のアリールオキシカルボニル基である。前記アリールオキシカルボニル基の置換基としては、例えば、前記置換アルキル基の置換基としてあげたような置換基と同じものがあげられる。前記アリールオキシカルボニル基としては、例えば、フェノキシカルボニル基、ｏ−クロロフェノキシカルボニル基、ｍ−ニトロフェノキシカルボニル基、ｐ−ｔｅｒｔ−ブチルフェノキシカルボニル基等があげられる。
【００５１】
式（Ｙ−１）において、前記アルコキシカルボニル基は、好ましくは、炭素原子数２〜３０の置換又は無置換のアルコキシカルボニル基である。前記置換アルコキシカルボニル基の置換基としては、例えば、前記置換アルキル基の置換基としてあげたような置換基と同じものがあげられる。前記アルコキシカルボニル基としては、例えば、メトキシカルボニル基、エトキシカルボニル基、ｔｅｒｔ−ブトキシカルボニル基、ｎ−オクタデシルオキシカルボニル基等があげられる。
【００５２】
式（Ｙ−１）において、前記カルバモイル基は、好ましくは、炭素原子数１〜３０の置換又は無置換のカルバモイル基である。前記置換カルバモイル基の置換基としては、例えば、前記置換アルキル基の置換基としてあげたような置換基と同じものがあげられる。前記カルバモイル基としては、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等があげられる。
【００５３】
式（Ｙ−１）において、前記ホスフィノ基は、好ましくは、炭素原子数２〜３０の置換又は無置換のホスフィノ基である。前記置換ホスフィノ基の置換基としては、例えば、前記置換アルキル基の置換基としてあげたような置換基と同じものがあげられる。前記ホスフィノ基としては、例えば、ジメチルホスフィノ基、ジフェニルホスフィノ基、メチルフェノキシホスフィノ基等があげられる。
【００５４】
式（Ｙ−１）において、前記ホスフィニル基は、好ましくは、炭素原子数２〜３０の置換又は無置換のホスフィニル基である。前記置換ホスフィニル基の置換基としては、例えば、前記置換アルキル基の置換基としてあげたような置換基と同じものがあげられる。前記ホスフィニル基としては、例えば、ホスフィニル基、ジオクチルオキシホスフィニル基、ジエトキシホスフィニル基等があげられる。
【００５５】
式（Ｙ−１）において、前記ホスフィニルオキシ基は、好ましくは、炭素原子数２〜３０の置換又は無置換のホスフィニルオキシ基である。前記置換ホスフィニルオキシ基の置換基としては、例えば、前記アルキル基の置換基としてあげたような置換基と同じものがあげられる。前記ホスフィニルオキシ基としては、例えば、ジフェノキシホスフィニルオキシ基、ジオクチルオキシホスフィニルオキシ基等があげられる。
【００５６】
式（Ｙ−１）において、前記ホスフィニルアミノ基は、好ましくは、炭素原子数２〜３０の置換又は無置換のホスフィニルアミノ基である。前記ホスフィニルアミノ基の置換基としては、例えば、前記置換アルキル基の置換基としてあげたような置換基と同じものがあげられる。前記ホスフィニルアミノ基としては、例えば、ジメトキシホスフィニルアミノ基、ジメチルアミノホスフィニルアミノ基等があげられる。
【００５７】
式（Ｙ−１）において、前記シリル基は、好ましくは、炭素原子数３〜３０の置換又は無置換のシリル基である。前記置換シリル基の置換基としては、例えば、前記置換アルキル基の置換基としてあげたような置換基と同じものがあげられる。前記シリル基としては、例えば、トリメチルシリル基、ｔｅｒｔ−ブチルジメチルシリル基、フェニルジメチルシリル基等があげられる。
【００５８】
式（Ｙ−１）において、前記アゾ基としては、例えば、フェニルアゾ基、４−メトキシフェニルアゾ基、４−ピバロイルアミノフェニルアゾ基、２−ヒドロキシ−４−プロパノイルフェニルアゾ基等があげられる。
【００５９】
式（Ｙ−１）において、前記イミド基としては、例えば、Ｎ−スクシンイミド基、Ｎ−フタルイミド基等があげられる。
【００６０】
式（Ｙ−１）において、Ｘ１及びＸ２は、それぞれ、電子吸引性基であり、Ｘ１及びＸ２は同一でも異なっていてもよい。前記Ｘ１及びＸ２としては、例えば、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、他の電子吸引性基で置換されたアリール基、ヘテロ環基、ハロゲン原子、アゾ基、セレノシアネート基等があげられる。
【００６１】
式（Ｙ−１）において、前記Ｘ１及びＸ２は、好ましくは、炭素原子数２〜１２のアシル基、炭素原子数２〜１２のアシルオキシ基、炭素原子数１〜１２のカルバモイル基、炭素原子数２〜１２のアルコキシカルボニル基、炭素原子数７〜１８のアリールオキシカルボニル基、シアノ基、ニトロ基、炭素原子数１〜１２のアルキルスルフィニル基、炭素原子数６〜１８のアリールスルフィニル基、炭素原子数１〜１２のアルキルスルホニル基、炭素原子数６〜１８のアリールスルホニル基、炭素原子数０〜１２のスルファモイル基、炭素原子数１〜１２のハロゲン化アルキル基、炭素原子数１〜１２のハロゲン化アルコキシ基、炭素原子数１〜１２のハロゲン化アルキルチオ基、炭素原子数７〜１８のハロゲン化アリールオキシ基、２つ以上の他の電子吸引性基で置換された炭素原子数７〜１８のアリール基、窒素原子、酸素原子、又はイオウ原子を有する５〜８員環で炭素原子数１〜１８のヘテロ環基である。
【００６２】
式（Ｙ−１）において、Ｚ１及びＺ２は、それぞれ、水素原子、置換又は無置換のアルキル基、置換又は無置換のアルケニル基、置換又は無置換のアルキニル基、置換又は無置換のアリール基、置換又は無置換のヘテロ環基であり、Ｚ１及びＺ２は同一でも異なっていてもよい。前記アルキル基、前記アルケニル基、前記アルキニル基、前記アリール基及び前記ヘテロ環基は、前記Ｒ１、Ｒ２、Ｙ１及びＹ２におけるのと同様である。
【００６３】
式（Ｙ−１）において、Ｍ１は、水素原子、アルカリ金属原子、ＮＨ４又はＮＲ４（Ｒは、アルキル基又はアリール基）である。前記アルカリ金属原子は、好ましくは、Ｌｉ、Ｎａ、Ｋである。前記Ｒにおけるアルキル基又はアリール基は、前記Ｒ１、Ｒ２、Ｙ１及びＹ２におけるのと同様である。これらの中でも、Ｍ１は、Ｌｉ、Ｎａ、Ｋ、ＮＨ４であることが好ましい。
【００６４】
式（Ｙ−１）で表される染料の好ましい置換基の組み合わせとしては、置換基の少なくとも１つが前記の好ましい基であることが好ましく、より多くの置換基が前記の好ましい基であることがより好ましく、全ての置換基が前記の好ましい基であることが最も好ましい。
【００６５】
式（Ｙ−１）で表される染料の特に好ましい置換基の組み合わせは、つぎの（イ）〜（ホ）を含む。
【００６６】
（イ）Ｒ１、Ｒ２は、同一でも異なっていてもよく、好ましくは、置換又は無置換の総炭素原子数１〜１２のアルキル基、置換又は無置換の総炭素原子数６〜１８のアリール基、置換又は無置換の総炭素原子数４〜１２のヘテロ環基であり、より好ましくは、総炭素原子数１〜８の直鎖又は分岐鎖アルキル基であり、さらに好ましくは、２級又は３級のアルキル基であり、最も好ましくは、ｔｅｒｔ−ブチル基である。
【００６７】
（ロ）Ｘ１、Ｘ２は、それぞれ、電子吸引性基であり、同一でも異なっていてもよく、好ましくは、シアノ基、炭素原子数１〜１２のアルキルスルホニル基、炭素原子数６〜１８のアリールスルホニル基、炭素原子数０〜１２のスルファモイル基であり、より好ましくは、シアノ基、炭素原子数１〜１２のアルキルスルホニル基である。
【００６８】
（ハ）Ｙ１、Ｙ２は、同一でも異なっていてもよく、好ましくは、水素原子、置換又は無置換の総炭素原子数１〜１２のアルキル基、置換又は無置換の総炭素原子数６〜１８のアリール基、置換又は無置換の総炭素原子数４〜１２のヘテロ環基であり、より好ましくは、水素原子、置換又は無置換のアルキル基であり、最も好ましくは、水素原子である。
【００６９】
（ニ）Ｚ１、Ｚ２は、同一でも異なっていてもよく、好ましくは、置換又は無置換の総炭素原子数１〜１２のアルキル基、置換又は無置換の総炭素原子数６〜１８のアリール基、置換又は無置換の総炭素原子数４〜１２のヘテロ環基であり、より好ましくは、置換又は無置換のアリール基、置換又は無置換のヘテロ環基であり、特に好ましくは、置換アリール基である。
【００７０】
（ホ）Ｍ１は、好ましくは、水素原子、アルカリ金属原子、ＮＨ４又はＮＲ４（Ｒは、アルキル基又はアリール基）であり、より好ましくは、水素原子、Ｌｉ、Ｎａ、Ｋ、ＮＨ４である。
【００７１】
前記染料（Ｙ−１）の好ましい具体例としては、式（Ｙ−１ａ）〜（Ｙ−１ｅ）で表される化合物があげられる。
【００７２】
【化２】
2015085575.tif 000004
【００７３】
【化３】
2015085575.tif 000005
【００７４】
【化４】
2015085575.tif 000006
【００７５】
【化５】
2015085575.tif 000007
【００７６】
【化６】
2015085575.tif 000008
【００７７】
前記イエロー染料（Ｙ−１）の配合量は、特に制限されない。水性イエローインクに前記イエロー染料（Ｙ−１）を含ませることで、耐光性及び耐オゾン性を向上させることができる。前記イエロー染料（Ｙ−１）の配合量は、前記水性イエローインク全量に対し、例えば、０．１重量％〜１０重量％であり、好ましくは、１．２重量％〜５．４重量％であり、より好ましくは、１．５重量％〜４．５重量％である。
【００７８】
前述のとおり、前記イエロー染料（Ｙ−２）は、Ｃ．Ｉ．ダイレクトイエロー８６、Ｃ．Ｉ．ダイレクトイエロー１３２及びＣ．Ｉ．ダイレクトイエロー１４２からなる群から選択される少なくとも一種の染料である。
【００７９】
Ｃ．Ｉ．ダイレクトイエロー８６は、例えば、式（Ｙ−２ａ）で表される染料である。
【００８０】
【化７】
2015085575.tif 000009
【００８１】
Ｃ．Ｉ．ダイレクトイエロー１３２は、例えば、式（Ｙ−２ｂ）で表される染料である。
【００８２】
【化８】
2015085575.tif 000010
【００８３】
Ｃ．Ｉ．ダイレクトイエロー１４２は、例えば、式（Ｙ−２ｃ）で表される染料である。
【００８４】
【化９】
2015085575.tif 000011
【００８５】
前記イエロー染料（Ｙ−２）の配合量は、特に制限されない。水性イエローインクに前記イエロー染料（Ｙ−２）を含ませることで、保存安定性を向上させることができる。前記イエロー染料（Ｙ−２）の配合量は、前記水性イエローインク全量に対し、例えば、０．１重量％〜１０重量％であり、好ましくは、０．２重量％〜２．４重量％であり、より好ましくは、０．４重量％〜１．６重量％である。
【００８６】
前記水性イエローインクにおける前記イエロー染料（Ｙ−１）と前記イエロー染料（Ｙ−２）との重量比は、イエロー染料（Ｙ−１）：イエロー染料（Ｙ−２）＝６０：４０〜９０：１０であることが好ましい。前記重量比を前記範囲とすることで、保存安定性と、耐光性及び耐オゾン性とが、共に極めて良好な水性イエローインクを得ることができる。
【００８７】
前記イエロー染料（Ｙ−１）と前記イエロー染料（Ｙ−２）との総配合量は、特に制限されないが、前記水性イエローインク全量に対し、２重量％〜６重量％が好ましい。前記総配合量を前記範囲とすることで、保存安定性、発色性、耐光性、耐オゾン性及び噴射安定性の全てが、極めて良好な水性イエローインクを得ることができる。
【００８８】
前記水性イエローインクは、前記イエロー染料に加え、さらに他のイエロー着色剤を含んでもよい。前記他のイエロー着色剤としては、顔料等があげられる。
【００８９】
前記水性イエローインクは、さらに、水及び水溶性有機溶剤を含んでもよい。
【００９０】
前記水は、イオン交換水又は純水であることが好ましい。前記水性イエローインク全量に対する前記水の配合量（水割合）は、例えば、１０重量％〜９０重量％であり、好ましくは、４０重量％〜８０重量％である。前記水割合は、例えば、他の成分の残部としてもよい。
【００９１】
前記水溶性有機溶剤としては、例えば、インクジェットヘッドのノズル先端部における水性イエローインクの乾燥を防止する湿潤剤及び記録媒体上での乾燥速度を調整する浸透剤があげられる。
【００９２】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、へキシレングリコール等があげられる。これらの湿潤剤は、１種類を単独で用いてもよいし、２種類以上を併用してもよい。これらの中でも、アルキレングリコール、グリセリン等の多価アルコールが好ましい。
【００９３】
前記水性イエローインク全量に対する前記湿潤剤の配合量は、例えば、０重量％〜９５重量％であり、好ましくは、５重量％〜８０重量％であり、さらに好ましくは、５重量％〜５０重量％である。
【００９４】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−へキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよく、２種類以上を併用してもよい。
【００９５】
前記水性イエローインク全量に対する前記浸透剤の配合量は、例えば、０重量％〜２０重量％であり、好ましくは、０．１重量％〜１５重量％であり、より好ましくは、０．５重量％〜１０重量％である。
【００９６】
前記水性イエローインクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００９７】
前記水性イエローインクは、例えば、前記イエロー染料と、必要に応じて他の添加成分とを、従来公知の方法で均一に混合し、フィルタ等で不溶解物を除去することにより調製できる。
【００９８】
（水性マゼンタインク）
前述のとおり、前記水性マゼンタインクは、マゼンタ染料を含み、前記色相角∠Ｈ°が、０°〜５°又は３４５°〜３６０°である。マゼンタ染料を含み、前記色相角∠Ｈ°が、０°〜５°又は３４５°〜３６０°でありさえすれば、前記水性マゼンタインクの組成は、制限されない。
【００９９】
前記マゼンタ染料は、下記マゼンタ染料（Ｍ−１）及び下記マゼンタ染料（Ｍ−２）を含むことが好ましい。
マゼンタ染料（Ｍ−１）：式（Ｍ−１）で表される染料
マゼンタ染料（Ｍ−２）：式（Ｍ−２ａ）で表される染料、式（Ｍ−２ｂ）で表される染料、Ｃ．Ｉ．アシッドレッド１及びＣ．Ｉ．アシッドレッド２５４からなる群から選択される少なくとも一種の染料
【化１０】
2015085575.tif 000012
式（Ｍ−１）において、
ｎ１は、１又は２であり、
３つのＭは、それぞれ、ナトリウム又はＮＨ４であり、３つのＭは同一でも異なっていてもよく、
Ｒ０は、カルボキシ基で置換された炭素原子数１〜８のモノアルキルアミノ基である。
【化１１】
2015085575.tif 000013
式（Ｍ−２ａ）において、
Ｒ１１は、水素原子、置換又は無置換のアルキル基、置換又は無置換のアリール基であり、
Ｒ１２は、水素原子、ハロゲン原子又はシアノ基であり、
Ｒ１３は、水素原子、置換又は無置換のアルキル基、置換又は無置換のアリール基、置換又は無置換のヘテロ環基であり、
Ｒ１４、Ｒ１５、Ｒ１６及びＲ１７は、それぞれ、水素原子、置換又は無置換のアルキル基、置換又は無置換のアリール基、置換又は無置換のヘテロ環基、置換又は無置換のスルホニル基、置換又は無置換のアシル基であり、Ｒ１４、Ｒ１５、Ｒ１６及びＲ１７は同一でも異なっていてもよいが、Ｒ１４とＲ１５が共に水素原子であることはなく、Ｒ１６とＲ１７が共に水素原子であることはなく、
Ａ１及びＡ２は、双方が置換又は無置換の炭素原子であるか、若しくは一方が置換又は無置換の炭素原子であり、かつ、他方が炭素原子である。
【化１２】
2015085575.tif 000014
式（Ｍ−２ｂ）において、
ｒは、０、１又は２であり、
Ｒ１８、Ｒ１９及びＲ２０は、それぞれ、置換又は無置換のアルキル基、置換又は無置換のアルコキシ基、ハロゲン原子、水素原子、ヒドロキシル基、置換又は無置換のカルバモイル基、置換又は無置換のスルファモイル基、置換又は無置換のアミノ基、ニトロ基、スルホン酸エステル基、置換又は無置換のアルキルスルホニル基、置換又は無置換のアリールスルホニル基、カルボキシ基、カルボン酸エステル基であり、Ｒ１８、Ｒ１９及びＲ２０は同一でも異なっていてもよく、
Ｒ２１、Ｒ２２及びＲ２３は、それぞれ、水素原子、置換又は無置換のアルキル基、置換又は無置換のアルケニル基、置換又は無置換のアリール基、置換又は無置換の脂環基、置換又は無置換のヘテロ環基であり、Ｒ２１、Ｒ２２及びＲ２３は同一でも異なっていてもよい。
【０１００】
式（Ｍ−１）で表される化合物は、３つのＭがすべてナトリウムである化合物（ナトリウム塩）であってもよいし、３つのＭがすべてアンモニウムである化合物（アンモニウム塩）であってよいし、３つのＭの一つ又は二つがナトリウムであり残りがアンモニウムである化合物であってもよい。
前記マゼンタ染料（Ｍ−１）は、単一の前記化合物で構成されていてもよいし、２種以上の前記化合物を含む混合物であってもよい。
前記Ｍは、水性マゼンタインク中で電離して、イオン（Ｎａ＋及びＮＨ４＋の少なくとも一方）となっていてもよい。
【０１０１】
前記マゼンタ染料（Ｍ−１）の好ましい具体例としては、表１に示すマゼンタ染料（Ｍ−１ａ）〜（Ｍ−１ｅ）で表される化合物があげられる。
【０１０２】
【表１】
2015085575.tif 000015
【０１０３】
前述のとおり、前記マゼンタ染料（Ｍ−２）は、式（Ｍ−２ａ）で表される染料、式（Ｍ−２ｂ）で表される染料、Ｃ．Ｉ．アシッドレッド１及びＣ．Ｉ．アシッドレッド２５４からなる群から選択される少なくとも一種の染料である。
【０１０４】
式（Ｍ−２ａ）において、前記置換又は無置換のアルキル基は、好ましくは、炭素原子数１〜６のアルキル基である。前記置換又は無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１０５】
式（Ｍ−２ａ）において、前記置換又は無置換のアリール基は、好ましくは、炭素原子数６〜１２のアリール基である。ただし、置換アリール基の場合、前記炭素原子数は、置換基の炭素原子数を含まないものとする。前記置換又は無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【０１０６】
式（Ｍ−２ａ）において、前記ハロゲン原子としては、例えば、フッ素原子、塩素原子、臭素原子、ヨウ素原子等があげられる。
【０１０７】
式（Ｍ−２ａ）において、前記置換又は無置換のヘテロ環基は、好ましくは、５員又は６員環のヘテロ環基である。前記置換又は無置換のヘテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【０１０８】
式（Ｍ−２ａ）において、前記置換又は無置換のスルホニル基としては、例えば、メチルスルホニル基、フェニルスルホニル基等があげられる。前記置換スルホニル基の置換基としては、例えば、前述と同様の置換又は無置換のアルキル基、前述と同様の置換又は無置換のアリール基等があげられる。
【０１０９】
式（Ｍ−２ａ）において、前記置換又は無置換のアシル基は、好ましくは、炭素原子数１〜１２のアシル基である。ただし、置換アシル基の場合、前記炭素原子数は、置換基の炭素原子数を含まないものとする。前記置換又は無置換のアシル基としては、例えば、アセチル基、ベンゾイル基、クロロアセチル基等があげられる。前記置換アシル基の置換基としては、例えば、前述と同様のイオン性親水性基等があげられる。
【０１１０】
式（Ｍ−２ａ）において、Ａ１及びＡ２は、前述のとおり、双方が置換又は無置換の炭素原子であるか、若しくは一方が置換又は無置換の炭素原子であり、かつ、他方が窒素原子である。Ａ１及びＡ２の双方が炭素原子である場合が、より優れた性能を発揮できる点で好ましい。Ａ１及びＡ２の炭素原子に結合する置換基としては、例えば、炭素原子数１〜３のアルキル基、カルボキシ基、カルバモイル基、シアノ基等があげられる。
【０１１１】
前述のとおり、式（Ｍ−２ａ）において、Ｒ１４とＲ１５とは共に水素原子であることはなく、またＲ１６とＲ１７も共に水素原子であることはない。また、式（Ｍ−２ａ）において、スルホン酸基若しくはカルボキシ基の置換数が多くなると前記染料の水溶性が向上する傾向があるので、必要に応じてそれらの置換数を調整することが好ましい。
【０１１２】
前記マゼンタ染料（Ｍ−２ａ）の好ましい態様としては、例えば、式（Ｍ−２ａ）において、Ｒ１１がアルキル基、Ｒ１２がシアノ基、Ｒ１３が水素原子若しくは置換又は無置換のヘテロ環基、Ｒ１４が水素原子、置換又は無置換のヘテロ環基若しくは置換アリール基、Ｒ１５及びＲ１６が、それぞれ、置換ヘテロ環基又は置換アリール基、Ｒ１７が水素原子であり、Ａ１が置換されている炭素原子、Ａ２が置換又は無置換の炭素原子である態様があげられる。
【０１１３】
前記マゼンタ染料（Ｍ−２ａ）のより好ましい態様としては、例えば、式（Ｍ−２ａ）において、Ｒ１１がｔｅｒｔ−ブチル基、Ｒ１２がシアノ基、Ｒ１３が水素原子又はスルホン酸基若しくはそのアルカリ金属塩基で置換されてもよいベンゾチアゾリル基（好ましくは、ベンゾチアゾール−２−イル基）、Ｒ１４が水素原子、スルホン酸基若しくはそのアルカリ金属塩基で置換されてもよいベンゾチアゾリル基（好ましくは、ベンゾチアゾール−２−イル基）又はスルホン酸基若しくはそのアルカリ金属塩基で置換されているトリアルキルフェニル基（好ましくは、メシチル基）、Ｒ１５及びＲ１６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）又はスルホン酸基若しくはそのアルカリ金属塩基で置換されているベンゾチアゾリル基（好ましくは、ベンゾチアゾール−２−イル基）、Ｒ１７が水素原子であり、Ａ１が置換されている炭素原子、Ａ２がシアノ基で置換されてもよい炭素原子である態様である。
【０１１４】
前記マゼンタ染料（Ｍ−２ａ）の好ましい具体例としては、式（Ｍ−２ａ−１）〜（Ｍ−２ａ−６）で表される化合物があげられる。
【０１１５】
【化１３】
2015085575.tif 000016
【０１１６】
式（Ｍ−２ａ−１）で表される化合物は、式（Ｍ−２ａ）において、Ｒ１１がｔｅｒｔ−ブチル基、Ｒ１２がシアノ基、Ｒ１３がベンゾチアゾール−２−イル基、Ｒ１４が水素原子、Ｒ１５及びＲ１６が、それぞれ、ｐ−オクチルフェニル基、Ｒ１７が水素原子であり、Ａ１がメチル基で置換されている炭素原子、Ａ２がシアノ基で置換されている炭素原子である態様である。
【０１１７】
【化１４】
2015085575.tif 000017
【０１１８】
式（Ｍ−２ａ−２）で表される化合物は、式（Ｍ−２ａ）において、Ｒ１１がｔｅｒｔ−ブチル基、Ｒ１２がシアノ基、Ｒ１３及びＲ１４が、それぞれ、ベンゾチアゾール−２−イル基、Ｒ１５及びＲ１６が、それぞれ、メシチル基、Ｒ１７が水素原子であり、Ａ１がメチル基で置換されている炭素原子、Ａ２が炭素原子である態様である。
【０１１９】
【化１５】
2015085575.tif 000018
【０１２０】
式（Ｍ−２ａ−３）で表される化合物は、式（Ｍ−２ａ）において、Ｒ１１がｔｅｒｔ−ブチル基、Ｒ１２がシアノ基、Ｒ１３及びＲ１４が、それぞれ、６−スルホナトリウム塩ベンゾチアゾール−２−イル基、Ｒ１５及びＲ１６が、それぞれ、３−スルホナトリウム塩メシチル基、Ｒ１７が水素原子であり、Ａ１がメチル基で置換されている炭素原子、Ａ２が炭素原子である態様である。
【０１２１】
【化１６】
2015085575.tif 000019
【０１２２】
式（Ｍ−２ａ−４）で表される化合物は、式（Ｍ−２ａ）において、Ｒ１１がｔｅｒｔ−ブチル基、Ｒ１２がシアノ基、Ｒ１３及びＲ１４が、それぞれ、６−スルホリチウム塩ベンゾチアゾール−２−イル基、Ｒ１５及びＲ１６が、それぞれ、２，６−ジエチル−４−メチル−３−スルホリチウム塩フェニル基、Ｒ１７が水素原子であり、Ａ１がメチル基で置換されている炭素原子、Ａ２が炭素原子である態様である。
【０１２３】
【化１７】
2015085575.tif 000020
【０１２４】
式（Ｍ−２ａ−５）で表される化合物は、式（Ｍ−２ａ）において、Ｒ１１がｔｅｒｔ−ブチル基、Ｒ１２がシアノ基、Ｒ１３及びＲ１４が、それぞれ、６−スルホカリウム塩ベンゾチアゾール−２−イル基、Ｒ１５及びＲ１６が、それぞれ、３−スルホカリウム塩メシチル基、Ｒ１７が水素原子であり、Ａ１がメチル基で置換されている炭素原子、Ａ２が炭素原子である態様である。
【０１２５】
【化１８】
2015085575.tif 000021
【０１２６】
式（Ｍ−２ａ−６）で表される化合物は、式（Ｍ−２ａ）において、Ｒ１１がｔｅｒｔ−ブチル基、Ｒ１２がシアノ基、Ｒ１３及びＲ１４が６−スルホリチウム塩ベンゾチアゾール−２−イル基、Ｒ１５及びＲ１６が２，６−ジエチル−４−スルホリチウム塩フェニル基、Ｒ１７が水素原子であり、Ａ１がメチル基で置換されている炭素原子、Ａ２が炭素原子である態様である。
【０１２７】
前記マゼンタ染料（Ｍ−２）が、前記マゼンタ染料（Ｍ−２ａ）である場合、前記水性マゼンタインクに前記マゼンタ染料（Ｍ−１）を含ませることで、耐光性、耐オゾン性及び噴射安定性を向上させることができる。この場合の前記マゼンタ染料（Ｍ−１）の配合量は、特に制限されないが、前記水性マゼンタインク全量に対し、例えば、０．１重量％〜１０重量％であり、好ましくは、０．４重量％〜３．６重量％であり、より好ましくは、０．８重量％〜３重量％である。
【０１２８】
前記マゼンタ染料（Ｍ−２）が、前記マゼンタ染料（Ｍ−２ａ）である場合、前記水性マゼンタインクに前記マゼンタ染料（Ｍ−２）を含ませることで、発色性、耐光性及び耐オゾン性を向上させることができる。この場合の前記マゼンタ染料（Ｍ−２）の配合量は、特に制限されないが、前記水性マゼンタインク全量に対し、例えば、０．１重量％〜１０重量％であり、好ましくは、０．８重量％〜４．８重量％であり、より好ましくは、１．０重量％〜３．２重量％である。
【０１２９】
前記マゼンタ染料（Ｍ−２）が、前記マゼンタ染料（Ｍ−２ａ）である場合、前記水性マゼンタインクにおける前記マゼンタ染料（Ｍ−１）と前記マゼンタ染料（Ｍ−２）との重量比は、マゼンタ染料（Ｍ−１）：マゼンタ染料（Ｍ−２）＝６０：４０〜２０：８０であることが好ましい。前記重量比を前記範囲とすることで、発色性と、噴射安定性とが、共に極めて良好な水性マゼンタインクを得ることができる。
【０１３０】
式（Ｍ−２ｂ）において、Ｒ１８、Ｒ１９及びＲ２０における置換又は無置換のアルキル基は、好ましくは、総炭素原子数が１〜９のアルキル基である。前記置換又は無置換のアルキル基としては、例えば、メチル基、エチル基、ｎ−プロピル基、イソプロピル基、ｎ−ブチル基、トリフルオロメチル基、ジメチルアミノメチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１３１】
式（Ｍ−２ｂ）において、Ｒ１８、Ｒ１９及びＲ２０における置換又は無置換のアルコキシ基は、好ましくは、総炭素原子数が１〜９のアルコキシ基である。前記置換又は無置換のアルコキシ基としては、例えば、メトキシ基、イソプロポキシ基、ｎ−ブトキシ基等があげられる。
【０１３２】
式（Ｍ−２ｂ）において、Ｒ１８、Ｒ１９及びＲ２０におけるハロゲン原子としては、例えば、フッ素原子、塩素原子、臭素原子、ヨウ素原子等があげられる。
【０１３３】
式（Ｍ−２ｂ）において、Ｒ１８、Ｒ１９及びＲ２０における置換又は無置換のカルバモイル基としては、例えば、カルバモイル基、Ｎ，Ｎ−ジメチルカルバモイル基、フェニルカルバモイル基等があげられる。
【０１３４】
式（Ｍ−２ｂ）において、Ｒ１８、Ｒ１９及びＲ２０における置換又は無置換のスルファモイル基としては、例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等があげられる。
【０１３５】
式（Ｍ−２ｂ）において、Ｒ１８、Ｒ１９及びＲ２０における置換又は無置換のアミノ基としては、例えば、Ｎ−メチルアミノ基、カルバモイルアミノ基、Ｎ，Ｎ−ジエチルアミノ基、アセチルアミノ基等があげられる。
【０１３６】
式（Ｍ−２ｂ）において、Ｒ１８、Ｒ１９及びＲ２０におけるスルホン酸エステル基としては、例えば、フェノキシスルホニル基等があげられる。
【０１３７】
式（Ｍ−２ｂ）において、Ｒ１８、Ｒ１９及びＲ２０における置換又は無置換のアルキルスルホニル基は、好ましくは、総炭素原子数が１〜９のアルキルスルホニル基である。前記置換又は無置換のアルキルスルホニル基としては、例えば、ヒドロキシスルホニル基等があげられる。
【０１３８】
式（Ｍ−２ｂ）において、Ｒ１８、Ｒ１９及びＲ２０における置換又は無置換のアリールスルホニル基は、好ましくは、総炭素原子数が６〜１５のアリールスルホニル基である。前記置換又は無置換のアリールスルホニル基としては、例えば、ベンジルスルホニル基等があげられる。
【０１３９】
式（Ｍ−２ｂ）において、Ｒ１８、Ｒ１９及びＲ２０におけるカルボン酸エステル基としては、例えば、メトキシカルボニル基等があげられる。
【０１４０】
式（Ｍ−２ｂ）において、Ｒ２１、Ｒ２２及びＲ２３における置換又は無置換のアルキル基は、好ましくは、総炭素原子数が１〜１８のアルキル基である。前記置換又は無置換のアルキル基としては、例えば、エチル基、ｎ−ブチル基、ｎ−オクチル基、エチルヘキシル基、ヒドロキシエチル基、カルボキシプロピル基、カルボキシシクロヘキシルメチル基、１−カルボキシ−２−メルカプトエチル基、１−カルボキシ−２−カルバモイル−エチル基、１−イソプロピル−１−カルボキシメチル基、１，２−ジカルボキシプロピル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１４１】
式（Ｍ−２ｂ）において、Ｒ２１、Ｒ２２及びＲ２３における置換又は無置換のアルケニル基は、好ましくは、総炭素原子数２〜１８のアルケニル基である。前記置換又は無置換のアルケニル基としては、例えば、２−メチル−１−プロペニル基、ビニル基、アリル基等があげられる。
【０１４２】
式（Ｍ−２ｂ）において、Ｒ２１、Ｒ２２及びＲ２３における置換又は無置換のアリール基としては、例えば、３，４−ジカルボキシフェニル基、４−ブチルフェニル基、４−カルボキシフェニル基等があげられる。前記置換アリール基の置換基としては、例えば、前記置換アルキル基の置換基と同じものがあげられる。
【０１４３】
式（Ｍ−２ｂ）において、Ｒ２１、Ｒ２２及びＲ２３は、例えば、ベンジル基、１−カルボキシ−２−フェニル−エチル基、１−カルボキシ−２−ヒドロキシフェニルエチル基、４−カルボキシベンジル基等であってもよい。
【０１４４】
式（Ｍ−２ｂ）において、Ｒ２１、Ｒ２２及びＲ２３における置換又は無置換の脂環基としては、例えば、シクロヘキシル基、４−カルボキシシクロヘキシル基等があげられる。
【０１４５】
式（Ｍ−２ｂ）において、Ｒ２１、Ｒ２２及びＲ２３における置換又は無置換のヘテロ環基としては、例えば、ピリジル基、チアジアゾリル基、ベンゾチアゾリル基、２，２，６，６−テトラメチルピペリジニル基等があげられる。前記置換ヘテロ環基の置換基としては、例えば、前記置換アルキル基の置換基と同じものがあげられる。
【０１４６】
式（Ｍ−２ｂ）において、Ｒ２１、Ｒ２２及びＲ２３としては、少なくとも一つが１〜４個のカルボキシ基又はスルファモイル基で置換されているアルキル基、アルケニル基、アリール基、脂環基若しくはヘテロ環基であってもよい。
【０１４７】
式（Ｍ−２ｂ）において、Ｒ２１及びＲ２２は、それぞれ、水素原子又は３置換フェニル基であってもよく、Ｒ２１及びＲ２２は同一でも異なっていてもよい。ここで、前記３置換フェニル基の三つの置換基は、それぞれ、水素原子、ハロゲン原子、水酸基、総炭素原子数が１〜９の置換又は無置換のアルキル基、総炭素原子数が１〜９の置換又は無置換のアルコキシ基、置換又は無置換のカルバモイル基、置換又は無置換のスルファモイル基、置換又は無置換のアミノ基、ニトロ基、スルホン酸エステル基、カルボン酸エステル基であり、前記三つの置換基は、同一でも異なっていてもよい。
【０１４８】
前記マゼンタ染料（Ｍ−２ｂ）の好ましい態様としては、例えば、式（Ｍ−２ｂ）において、Ｒ２１、Ｒ２２及びＲ２３の少なくとも一つが、１〜４個のカルボキシ基又はスルファモイル基で置換されているアルキル基、アルケニル基、アリール基、アラルキル基若しくはシクロへキシル基である態様があげられる。
【０１４９】
前記マゼンタ染料（Ｍ−２ｂ）は、その構造中に、スルホン酸基及びカルボキシ基又はこられの塩を合計で６個以下、好ましくは５個以下、特に好ましくは４個以下有することが好ましい。また、前記マゼンタ染料（Ｍ−２ｂ）は、遊離酸型のまま使用してもよいが、製造時に塩型で得られた場合はそのまま使用してもよいし、所望の塩型に変換してもよい。また、前記マゼンタ染料（Ｍ−２ｂ）は、酸基の一部が塩型のものであってもよく、塩型の色素と遊離酸型の色素が混在していてもよい。このような塩型としては、例えば、Ｎａ、Ｌｉ、Ｋ等のアルカリ金属の塩、アルキル基若しくはヒドロキシアルキル基で置換されていてもよいアンモニウムの塩、又は有機アミンの塩等があげられる。前記有機アミンとしては、例えば、低級アルキルアミン、ヒドロキシ置換低級アルキルアミン、カルボキシ置換低級アルキルアミン、炭素原子数２〜４のアルキレンイミン単位を２〜１０個有するポリアミン等があげられる。これらの塩型の場合、その種類は、１種類に限られず複数種混在していてもよい。
【０１５０】
前記マゼンタ染料（Ｍ−２ｂ）の好ましい態様としては、例えば、式（Ｍ−２ｂ）において、
ｒは、０であり、
Ｒ１８は、カルボキシ基、カルバモイル基、トリフルオロメチル基又はスルファモイル基であり、
Ｒ１９、Ｒ２０及びＲ２２は、それぞれ、水素原子であり、
Ｒ２１は、カルボキシ基又はスルファモイル基で置換されてもよいフェニル基又はカルボキシアルキル基であり、
Ｒ２３は、水素原子又はアルキル基である態様があげられる。
【０１５１】
前記マゼンタ染料（Ｍ−２ｂ）の好ましい具体例としては、式（Ｍ−２ｂ−１）〜（Ｍ−２ｂ−５）で表される化合物があげられる。
【０１５２】
【化１９】
2015085575.tif 000022
【０１５３】
式（Ｍ−２ｂ−１）で表される化合物は、式（Ｍ−２ｂ）において、
ｒは、０であり、
Ｒ１８は、アゾ基に結合するフェニル基の２位に位置するカルボキシ基であり、
Ｒ１９、Ｒ２０及びＲ２２は、それぞれ、水素原子であり、
Ｒ２１は、２−カルボキシフェニル基であり、
Ｒ２３は、水素原子である態様である。式（Ｍ−２ｂ−１）で表される化合物において、ナフタレン環の３位及び６位に位置するスルホン酸は、アンモニウム塩となっている。
【０１５４】
【化２０】
2015085575.tif 000023
【０１５５】
式（Ｍ−２ｂ−２）で表される化合物は、式（Ｍ−２ｂ）において、
ｒは、０であり、
Ｒ１８は、アゾ基に結合するフェニル基の２位に位置するカルバモイル基であり、
Ｒ１９、Ｒ２０及びＲ２２は、それぞれ、水素原子であり、
Ｒ２１は、２−カルボキシフェニル基であり、
Ｒ２３は、水素原子である態様である。式（Ｍ−２ｂ−２）で表される化合物において、ナフタレン環の３位及び６位に位置するスルホン酸は、ナトリウム塩となっている。
【０１５６】
【化２１】
2015085575.tif 000024
【０１５７】
式（Ｍ−２ｂ−３）で表される化合物は、式（Ｍ−２ｂ）において、
ｒは、０であり、
Ｒ１８は、アゾ基に結合するフェニル基の３位に位置するスルファモイル基であり、
Ｒ１９、Ｒ２０及びＲ２２は、それぞれ、水素原子であり、
Ｒ２１は、２−スルファモイルフェニル基であり、
Ｒ２３は、イソプロピル基である態様である。式（Ｍ−２ｂ−３）で表される化合物において、ナフタレン環の３位及び６位に位置するスルホン酸は、エチルアンモニウム塩となっている。
【０１５８】
【化２２】
2015085575.tif 000025
【０１５９】
式（Ｍ−２ｂ−４）で表される化合物は、式（Ｍ−２ｂ）において、
ｒは、０であり、
Ｒ１８は、アゾ基に結合するフェニル基の２位に位置するトリフルオロメチル基であり、
Ｒ１９、Ｒ２０及びＲ２２は、それぞれ、水素原子であり、
Ｒ２１は、１−カルボキシ−２−メチルブチル基であり、
Ｒ２３は、メチル基である態様である。式（Ｍ−２ｂ−４）で表される化合物において、ナフタレン環の３位及び６位に位置するスルホン酸は、メチルアンモニウム塩となっている。
【０１６０】
【化２３】
2015085575.tif 000026
【０１６１】
式（Ｍ−２ｂ−５）で表される化合物は、式（Ｍ−２ｂ）において、
ｒは、０であり、
Ｒ１８は、アゾ基に結合するフェニル基の２位に位置するカルボキシ基であり、
Ｒ１９、Ｒ２０及びＲ２２は、それぞれ、水素原子であり、
Ｒ２１は、フェニル基であり、
Ｒ２３は、水素原子である態様である。式（Ｍ−２ｂ−５）で表される化合物において、ナフタレン環の３位及び６位に位置するスルホン酸は、アンモニウム塩となっている。
【０１６２】
Ｃ．Ｉ．アシッドレッド１は、例えば、式（Ｍ−２ｃ）で表される染料である。
【０１６３】
【化２４】
2015085575.tif 000027
【０１６４】
前記マゼンタ染料（Ｍ−２）が、前記マゼンタ染料（Ｍ−２ｂ）、Ｃ．Ｉ．アシッドレッド１及びＣ．Ｉ．アシッドレッド２５４からなる群から選択される少なくとも一種の染料である場合、前記水性マゼンタインクに前記マゼンタ染料（Ｍ−１）を含ませることで、耐光性及び耐オゾン性を向上させることができる。この場合の前記マゼンタ染料（Ｍ−１）の配合量は、特に制限されないが、前記水性マゼンタインク全量に対し、例えば、０．１重量％〜１０重量％であり、好ましくは、１．４重量％〜５．４重量％である。
【０１６５】
前記マゼンタ染料（Ｍ−２）が、前記マゼンタ染料（Ｍ−２ｂ）、Ｃ．Ｉ．アシッドレッド１及びＣ．Ｉ．アシッドレッド２５４からなる群から選択される少なくとも一種の染料である場合、前記水性マゼンタインクに前記マゼンタ染料（Ｍ−２）を含ませることで、発色性を向上させることができる。この場合の前記マゼンタ染料（Ｍ−２）の配合量は、特に制限されないが、前記水性マゼンタインク全量に対し、例えば、０．０５重量％〜５重量％であり、好ましくは、０．２重量％〜１．８重量％である。
【０１６６】
前記マゼンタ染料（Ｍ−２）が、前記マゼンタ染料（Ｍ−２ｂ）、Ｃ．Ｉ．アシッドレッド１及びＣ．Ｉ．アシッドレッド２５４からなる群から選択される少なくとも一種の染料である場合、前記水性マゼンタインクにおける前記マゼンタ染料（Ｍ−１）と前記マゼンタ染料（Ｍ−２）との重量比は、マゼンタ染料（Ｍ−１）：マゼンタ染料（Ｍ−２）＝７０：３０〜９０：１０であることが好ましい。前記重量比を前記範囲とすることで、発色性と、耐光性及び耐オゾン性とが、共に極めて良好な水性マゼンタインクを得ることができる。
【０１６７】
前記マゼンタ染料（Ｍ−１）と前記マゼンタ染料（Ｍ−２）との総配合量は、特に制限されないが、前記水性マゼンタインク全量に対し、２重量％〜６重量％であることが好ましい。前記総配合量を前記範囲とすることで、保存安定性、発色性、耐光性、耐オゾン性及び噴射安定性の全てが、極めて良好な水性マゼンタインクを得ることができる。
【０１６８】
前記水性マゼンタインクは、前記マゼンタ染料に加え、さらに他のマゼンタ着色剤を含んでもよい。前記他のマゼンタ着色剤としては、顔料等があげられる。
【０１６９】
前記水性マゼンタインクは、さらに、水及び水溶性有機溶剤を含んでもよい。前記水及びその配合量は、前述の水性イエローインクにおける水及びその配合量と同様である。前記水溶性有機溶剤及びその配合量も、前述の水性イエローインクにおける水溶性有機溶剤及びその配合量と同様である。
【０１７０】
前記水性マゼンタインクは、必要に応じて、さらに、従来公知の添加剤を含んでもよい。前記添加剤も、前述の水性イエローインクにおける添加剤と同様である。
【０１７１】
前記水性マゼンタインクは、例えば、前記マゼンタ染料と、必要に応じて他の添加成分とを、従来公知の方法で均一に混合し、フィルタ等で不溶解物を除去することにより調製できる。
【０１７２】
（水性シアンインク）
前述のとおり、前記水性シアンインクは、シアン染料を含み、前記色相角∠Ｈ°が、２２０°〜２４０°である。シアン染料を含み、前記色相角∠Ｈ°が、２２０°〜２４０°でありさえすれば、前記水性シアンインクの組成は、制限されない。
【０１７３】
前記シアン染料は、下記シアン染料（Ｃ−１）を含むことが好ましい。
シアン染料（Ｃ−１）：式（Ｃ−１）で表される染料
【化２５】
2015085575.tif 000028
式（Ｃ−１）において、
環Ａ３１、Ａ３２及びＡ３３は、それぞれ、ベンゼン環、２，３−ピリジン環及び３，２−ピリジン環からなる群から選択される少なくとも一つであり、かつ、環Ａ３１、Ａ３２及びＡ３３の少なくとも一つは、２，３−ピリジン環又は３，２−ピリジン環であり、環Ａ３１、Ａ３２及びＡ３３は同一でも異なっていてもよく、
ａは、０≦ａ≦４を満たし、ｂは、０≦ｂ≦４を満たし、ｃは、０≦ｃ≦４を満たし、かつ、ａ、ｂ及びｃは、０≦ａ＋ｂ＋ｃ≦４を満たし、
ｚは、１≦ｚ≦３を満たす整数であり、
Ｒ３０は、炭素原子数１〜６の直鎖アルキレン基である。
【０１７４】
式（Ｃ−１）で表される化合物は、環Ａ３１、Ａ３２及びＡ３３がすべて２，３−ピリジン環又は３，２−ピリジン環である化合物であってもよいし、環Ａ３１、Ａ３２及びＡ３３のうち二つが２，３−ピリジン環又は３，２−ピリジン環であり、残り一つがベンゼン環である化合物であってもよいし、環Ａ３１、Ａ３２及びＡ３３のうち一つが２，３−ピリジン環又は３，２−ピリジン環であり、残り二つがベンゼン環である化合物であってもよい。
前記シアン染料（Ｃ−１）は、単一の前記化合物で構成されていてもよいし、２種以上の前記化合物を含む混合物であってもよい。
【０１７５】
前記シアン染料（Ｃ−１）の好ましい具体例としては、式（Ｃ−１ａ）〜（Ｃ−１ｆ）で表される化合物があげられる。
【０１７６】
【化２６】
2015085575.tif 000029
式（Ｃ−１ａ）において、
環Ａ３１、Ａ３２及びＡ３３は、それぞれ独立に、２，３−ピリジン環及び／又は３，２−ピリジン環であり、
ａは、１．０であり、ｂは、１．８であり、ｃは、１．２であり、ａ、ｂ及びｃは、混合物における平均値である。
【０１７７】
【化２７】
2015085575.tif 000030
式（Ｃ−１ｂ）において、
環Ａ３１及びＡ３２は、それぞれ独立に、２，３−ピリジン環及び／又は３，２−ピリジン環であり、環Ａ３３は、ベンゼン環であり、
ａは、２．４であり、ｂは、０．６であり、ｃは、１．０であり、ａ、ｂ及びｃは、混合物における平均値である。
【０１７８】
【化２８】
2015085575.tif 000031
式（Ｃ−１ｃ）において、
環Ａ３１、Ａ３２及びＡ３３は、それぞれ独立に、２，３−ピリジン環及び／又は３，２−ピリジン環であり、
ａは、３．０であり、ｂは、０．２であり、ｃは、０．８であり、ａ、ｂ及びｃは、混合物における平均値である。
【０１７９】
【化２９】
2015085575.tif 000032
式（Ｃ−１ｄ）において、
環Ａ３１は、ベンゼン環であり、環Ａ３２及びＡ３３は、それぞれ独立に、２，３−ピリジン環及び／又は３，２−ピリジン環であり、
ａは、１．８であり、ｂは、０．９であり、ｃは、１．３であり、ａ、ｂ及びｃは、混合物における平均値である。
【０１８０】
【化３０】
2015085575.tif 000033
式（Ｃ−１ｅ）において、
環Ａ３１、Ａ３２及びＡ３３は、それぞれ独立に、２，３−ピリジン環及び／又は３，２−ピリジン環であり、
ａは、１．１であり、ｂは、１．３であり、ｃは、１．６であり、ａ、ｂ及びｃは、混合物における平均値である。
【０１８１】
【化３１】
2015085575.tif 000034
式（Ｃ−１ｆ）において、
環Ａ３１及びＡ３３は、それぞれ独立に、２，３−ピリジン環及び／又は３，２−ピリジン環であり、環Ａ３２は、ベンゼン環であり、
ａは、０であり、ｂは、１．８であり、ｃは、２．２であり、ａ、ｂ及びｃは、混合物における平均値である。
【０１８２】
前記シアン染料は、前記シアン染料（Ｃ−１）に加え、下記のシアン染料（Ｃ−２）を含むことがより好ましい。
シアン染料（Ｃ−２）：式（Ｃ−２ａ）で表される染料、式（Ｃ−２ｂ）で表される染料、Ｃ．Ｉ．ダイレクトブルー１９９及びＣ．Ｉ．ダイレクトブルー８６からなる群から選択される少なくとも一種の染料
【化３２】
2015085575.tif 000035
式（Ｃ−２ａ）において、
Ｐｃ（Ｃｕ）は、式（Ｐｃ）で表される銅フタロシアニン核であり、
Ｒ３１、Ｒ３２、Ｒ３３及びＲ３４は、それぞれ、−ＳＯ２Ｒａ、−ＳＯ２ＮＲｂＲｃ及び−ＣＯ２Ｒａからなる群から選択される置換基であり、Ｒ３１、Ｒ３２、Ｒ３３及びＲ３４のすべてが同一であることはなく、Ｒ３１、Ｒ３２、Ｒ３３及びＲ３４の少なくとも一つは、イオン性親水性基を置換基として有し、Ｒ３１、Ｒ３２、Ｒ３３及びＲ３４の少なくとも一つは、式（Ｐｃ）で表される銅フタロシアニン核中の４つのベンゼン環Ａ、Ｂ、Ｃ及びＤのそれぞれに存在し、Ｒａは、置換又は無置換のアルキル基であり、Ｒｂは、水素原子、置換又は無置換のアルキル基であり、Ｒｃは、置換又は無置換のアルキル基であり、
ｋは、０＜ｋ＜８を満たし、ｌは、０＜ｌ＜８を満たし、ｍは、０≦ｍ＜８を満たし、ｎは、０≦ｎ＜８を満たし、かつ、ｋ、ｌ、ｍ及びｎは、４≦ｋ＋ｌ＋ｍ＋ｎ≦８を満たす。
【化３３】
2015085575.tif 000036
式（Ｃ−２ｂ）において、
Ｐｃ（Ｃｕ）は、式（Ｐｃ）で表される銅フタロシアニン核であり、
Ｍ０は、リチウム、ナトリウム、カリウム及びＮＨ４のいずれかであり、
ｘは、０＜ｘ＜４を満たし、ｙは、０＜ｙ＜４を満たし、かつ、ｘ及びｙは、２≦ｘ＋ｙ≦５を満たし、
ＳＯ３Ｍ０基及びＳＯ２ＮＨ２基は、式（Ｐｃ）で表される銅フタロシアニン核中の４つのベンゼン環Ａ、Ｂ、Ｃ及びＤのいずれかに存在する。
【化３４】
2015085575.tif 000037
【０１８３】
式（Ｃ−２ａ）において、前記置換又は無置換のアルキル基は、好ましくは、炭素原子数１〜１２の直鎖、分岐鎖又は脂環式アルキル基である。前記アルキル基は、染料の溶解性及び水性シアンインクの安定性を向上させる観点から、分岐鎖を有するものが好ましく、不斉炭素を有するもの(ラセミ体での使用)が特に好ましい。前記置換又は無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。
【０１８４】
式（Ｃ−２ａ）において、前記置換アルキル基の置換基としては、例えば、メチル基、エチル基、プロピル基、イソプロピル基、ｓｅｃ−ブチル基、ｔｅｒｔ−ブチル基、２−エチルへキシル基、２−メチルスルホニルエチル基、３−フェノキシプロピル基、トリフルオロメチル基、シクロペンチル基等の炭素原子数１〜１２の直鎖又は分岐鎖アルキル基；炭素原子数７〜１８の直鎖又は分岐鎖アラルキル基；炭素原子数２〜１２の直鎖又は分岐鎖アルケニル基；炭素原子数２〜１２の直鎖又は分岐鎖アルキニル基；炭素原子数３〜１２の直鎖又は分岐鎖シクロアルキル基；炭素原子数３〜１２の直鎖又は分岐鎖シクロアルケニル基；塩素原子、臭素原子等のハロゲン原子；フェニル基、４−ｔｅｒｔ−ブチルフェニル基、２，４−ジ−ｔｅｒｔ−アミノフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メタンスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブトキシカルバモイルフェノキシ基、３−メトキシカルバモイル基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアニリノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メタンスルホンアミド基、ベンゼンスルホンアミド基、ｐ−トルエンスルホンアミド基等のスルホンアミド基；Ｎ−エチルカルバモイル基、Ｎ，Ｎ−ジプロピルスルファモイル基、Ｎ−フェニルスルファモイル基等のスルファモイル基；メタンスルホニル基、オクタンスルホニル基、ベンゼンスルホニル基、トルエンスルホニル基等のスルホニル基；メトキシカルボニル基、ブトキシカルボニル基等のアルコキシカルボニル基；１−フェニルテトラゾール−５−オキシ基、２−テトラヒドロキシピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジフェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシ基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基及び前記シクロアルケニル基は、染料の溶解性及び水性シアンインクの安定性を向上させる観点から、分岐鎖を有するものが好ましく、不斉炭素を有するものが特に好ましい。
【０１８５】
前記シアン染料（Ｃ−２ａ）の好ましい態様としては、例えば、式（Ｃ−２ａ）において、Ｒ３１、Ｒ３２、Ｒ３３及びＲ３４が、それぞれ、−ＳＯ２Ｒａであり、Ｒ３１、Ｒ３２、Ｒ３３及びＲ３４がそれぞれ有するＲａのすべてが同一であることはなく、少なくとも一つのＲａが、イオン性親水性基を有する置換アルキル基である態様である。
【０１８６】
前記シアン染料（Ｃ−２ａ）のより好ましい態様としては、例えば、式（Ｃ−２ａ）において、ｋは、０＜ｋ＜４を満たし、ｌは、０＜ｌ＜４を満たし、ｍは、０≦ｍ＜４を満たし、ｎは、０≦ｎ＜４を満たし、かつ、ｋ、ｌ、ｍ及びｎは、ｋ＋ｌ＋ｍ＋ｎ＝４を満たす態様である。
【０１８７】
前記シアン染料（Ｃ−２ａ）の好ましい具体例としては、式（Ｃ−２ａ−１）〜（Ｃ−２ａ−５）で表される化合物があげられる。
【０１８８】
【化３５】
2015085575.tif 000038
【０１８９】
式（Ｃ−２ａ−１）で表される化合物は、式（Ｃ−２ａ）において、Ｒ３１がリチウムスルホナトプロピルスルホニル基、Ｒ３２がＮ−（２−ヒドロキシプロピル）スルファモイルプロピルスルホニル基であり、ｋが３、ｌが１、ｍ及びｎが共に０である態様である。
【０１９０】
【化３６】
2015085575.tif 000039
【０１９１】
式（Ｃ−２ａ−２）で表される化合物は、式（Ｃ−２ａ）において、Ｒ３１がリチウムスルホナトプロピルスルホニル基、Ｒ３２がＮ−（２−ヒドロキシイソプロピル）スルファモイルプロピルスルホニル基であり、ｋが３、ｌが１、ｍ及びｎが共に０である態様である。
【０１９２】
【化３７】
2015085575.tif 000040
【０１９３】
式（Ｃ−２ａ−３）で表される化合物は、式（Ｃ−２ａ）において、Ｒ３１がリチウムスルホナトプロピルスルホニル基、Ｒ３２がＮ，Ｎ−（ジ（２−ヒドロキエチル））スルファモイルプロピルスルホニル基であり、ｋが３、ｌが１、ｍ及びｎが共に０である態様である。
【０１９４】
【化３８】
2015085575.tif 000041
【０１９５】
式（Ｃ−２ａ−４）で表される化合物は、式（Ｃ−２ａ）において、Ｒ３１がリチウムスルホナトプロピルスルホニル基、Ｒ３２がＮ−（２−ヒドロキシプロピル）スルファモイルプロピルスルホニル基、Ｒ３３がＮ−（２−ヒドロキシイソプロピル）スルファモイルプロピルスルホニル基であり、ｋが２、ｌが１、ｍが１、ｎが０である態様である。
【０１９６】
【化３９】
2015085575.tif 000042
【０１９７】
式（Ｃ−２ａ−５）で表される化合物は、式（Ｃ−２ａ）において、Ｒ３１がリチウムスルホナトプロピルスルホニル基、Ｒ３２がリチウムカルボキシラトプロピルスルホニル基、Ｒ３３がＮ−（２−ヒドロキシプロピル）スルファモイルプロピルスルホニル基、Ｒ３４がＮ−（２−ヒドロキシイソプロピル）スルファモイルプロピルスルホニル基であり、ｋ、ｌ、ｍ及びｎが共に１である態様である。
【０１９８】
式（Ｃ−２ｂ）において、前記Ｍ０は、水性シアンインク中で電離して、イオン（Ｌｉ＋、Ｎａ＋、Ｋ＋及びＮＨ４＋のいずれか）となっていてもよい。
前記水性シアンインクでは、式（Ｃ−２ｂ）において、ｘ及びｙは、ｘ＋ｙ＝４を満たしてもよい。
【０１９９】
前記シアン染料（Ｃ−２ｂ）の好ましい具体例としては、式（Ｃ−２ｂ−１）〜（Ｃ−２ｂ−４）で表される化合物があげられる。
【０２００】
【化４０】
2015085575.tif 000043
【０２０１】
式（Ｃ−２ｂ−１）で表される化合物は、式（Ｃ−２ｂ）において、Ｍ０がナトリウムであり、ｘが１、ｙが３であり、式（Ｐｃ）で表される銅フタロシアニン核中の４つのベンゼン環Ａ、Ｂ、Ｃ及びＤのそれぞれに一つの置換基が存在する態様である。
【０２０２】
【化４１】
2015085575.tif 000044
【０２０３】
式（Ｃ−２ｂ−２）で表される化合物は、式（Ｃ−２ｂ）において、Ｍ０がナトリウムであり、ｘが２、ｙが２であり、式（Ｐｃ）で表される銅フタロシアニン核中の４つのベンゼン環Ａ、Ｂ、Ｃ及びＤのそれぞれに一つの置換基が存在する態様である。
【０２０４】
【化４２】
2015085575.tif 000045
【０２０５】
式（Ｃ−２ｂ−３）で表される化合物は、式（Ｃ−２ｂ）において、Ｍ０がナトリウムであり、ｘが３、ｙが１であり、式（Ｐｃ）で表される銅フタロシアニン核中の４つのベンゼン環Ａ、Ｂ、Ｃ及びＤのそれぞれに一つの置換基が存在する態様である。
【０２０６】
【化４３】
2015085575.tif 000046
【０２０７】
式（Ｃ−２ｂ−４）で表される化合物は、式（Ｃ−２ｂ）において、Ｍ０がアンモニウムであり、ｘが１、ｙが３であり、式（Ｐｃ）で表される銅フタロシアニン核中の４つのベンゼン環Ａ、Ｂ、Ｃ及びＤのそれぞれに一つの置換基が存在する態様である。
【０２０８】
Ｃ．Ｉ．ダイレクトブルー１９９は、例えば、式（Ｃ−２ｃ）で表される染料である。
【０２０９】
【化４４】
2015085575.tif 000047
【０２１０】
Ｃ．Ｉ．ダイレクトブルー８６は、例えば、式（Ｃ−２ｄ）で表される染料である。
【０２１１】
【化４５】
2015085575.tif 000048
【０２１２】
前記シアン染料（Ｃ−１）に加え前記シアン染料（Ｃ−２）を用いる場合において、前記シアン染料（Ｃ−１）の配合量は、特に制限されない。水性シアンインクに前記シアン染料（Ｃ−１）を含ませれば、保存安定性、耐光性、耐オゾン性及び噴射安定性を向上させることができる。前記シアン染料（Ｃ−１）の配合量は、前記水性シアンインク全量に対し、例えば、０．１重量％〜１０重量％であり、好ましくは、１．４重量％〜５．７重量％であり、より好ましくは、１．６重量％〜４．８重量％である。
【０２１３】
前記シアン染料（Ｃ−１）に加え前記シアン染料（Ｃ−２）を用いる場合において、前記シアン染料（Ｃ−２）の配合量は、特に制限されない。水性シアンインクに前記シアン染料（Ｃ−２）を含ませれば、発色性を向上させることができる。前記シアン染料（Ｃ−２）の配合量は、前記水性シアンインク全量に対し、例えば、０．０５重量％〜５重量％であり、好ましくは、０．１重量％〜１．８重量％であり、より好ましくは、０．１重量％〜１．５重量％である。
【０２１４】
前記シアン染料（Ｃ−１）に加え前記シアン染料（Ｃ−２）を用いる場合において、前記水性シアンインクにおける前記シアン染料（Ｃ−１）と前記シアン染料（Ｃ−２）との重量比は、シアン染料（Ｃ−１）：シアン染料（Ｃ−２）＝７０：３０〜９５：５であることが好ましい。前記重量比を前記範囲とすることで、保存安定性、発色性、耐光性及び耐オゾン性に加え、噴射安定性が極めて良好な水性シアンインクを得ることができる。
【０２１５】
前記シアン染料（Ｃ−１）と前記シアン染料（Ｃ−２）との総配合量は、特に制限されないが、前記水性シアンインク全量に対し、２重量％〜７重量％であることが好ましい。前記総配合量を前記範囲とすることで、保存安定性、発色性、耐光性、耐オゾン性及び噴射安定性の全てが、極めて良好な水性シアンインクを得ることができる。
【０２１６】
前記水性シアンインクは、前記シアン染料に加え、さらに他のシアン着色剤を含んでもよい。前記他のシアン着色剤としては、顔料等があげられる。
【０２１７】
前記水性シアンインクは、さらに、水及び水溶性有機溶剤を含んでもよい。前記水及びその配合量は、前述の水性イエローインクにおける水及びその配合量と同様である。前記水溶性有機溶剤及びその配合量は、前述の水性イエローインクにおける水溶性有機溶剤及びその配合量と同様である。
【０２１８】
前記水性シアンインクは、必要に応じて、さらに、従来公知の添加剤を含んでもよい。前記添加剤も、前述の水性イエローインクにおける添加剤と同様である。
【０２１９】
前記水性シアンインクは、例えば、前記シアン染料と、必要に応じて他の添加成分とを、従来公知の方法で均一に混合し、フィルタ等で不溶解物を除去することにより調製できる。
【０２２０】
本発明のインクジェット記録装置及びインクジェット記録方法は、前記３色の水性インクを用いることにより、フルカラー記録に対応可能である。本発明のインクジェット記録装置及びインクジェット記録方法では、前記３色の水性インクのみを用いてもよいし、さらに他の色の水性インクを用いてもよい。前記他の色の水性インクとしては、例えば、水性ブラックインク、水性レッドインク、水性グリーンインク、水性ブルーインク、着色剤濃度が低い水性ライトインク（水性ライトイエローインク、水性ライトマゼンタインク、水性ライトシアンインク、水性ライトブラックインク、水性ライトレッドインク、水性ライトグリーンインク、水性ライトブルーインク等）等があげられる。フルカラー記録により好適に対応可能となることから、本発明のインクジェット記録装置及びインクジェット記録方法では、水性ブラックインクを用いることが好ましい。
【０２２１】
つぎに、本発明のインクジェット記録装置は、インク収容部、インク吐出手段及び制御手段を含む。前記インク収容部は、前記水性イエローインク、水性マゼンタインク及び水性シアンインクを収容可能である。本発明のインクジェット記録装置において、前記制御手段以外の構成は、従来のインクジェット記録装置と同様とすることができる。
【０２２２】
図２に、本発明のインクジェット記録装置の構成の一例（制御手段を除く。）を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成部材として含む。
【０２２３】
４つのインクカートリッジ２は、イエロー、マゼンタ、シアン及びブラックの４色の水性インクを、それぞれ１色ずつ含む。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【０２２４】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【０２２５】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図２において、キャップ１８は、水性インクの乾燥を防止するため、記録が終了するとリセット位置に戻されるインクジェットヘッド３の複数のノズルを覆うものである。
【０２２６】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【０２２７】
このインクジェット記録装置１を用いたインクジェット記録は、例えば、つぎのように実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。記録後の記録用紙Ｐは、インクジェット記録装置１から排紙される。図２においては、記録用紙Ｐの給紙機構及び排紙機構の図示を省略している。
【０２２８】
本発明のインクジェット記録装置は、図２に示したシリアル型インクジェット記録装置であってもよいし、ライン型インクジェット記録装置であってもよい。
【０２２９】
つぎに、本発明のインクジェット記録装置及びインクジェット記録方法では、前記水性イエローインク、水性マゼンタインク及び水性シアンインクを用いて、下記（Ａ）及び（Ｂ）の条件を満たすように、光沢紙上にコンポジットブラックを形成する。
（Ａ）    ０．６６≦Ｃ／（Ｙ＋Ｍ）
（Ｂ）    ５３０≦Ｙ＋Ｍ＋Ｃ≦６００
Ｙ：前記イエロー染料の光沢紙２５．４ｍｍ×２５．４ｍｍあたりの滴下量（ｎｇ）
Ｍ：前記マゼンタ染料の光沢紙２５．４ｍｍ×２５．４ｍｍあたりの滴下量（ｎｇ）
Ｃ：前記シアン染料の光沢紙２５．４ｍｍ×２５．４ｍｍあたりの滴下量（ｎｇ）
【０２３０】
詳細は不明だが、前記シアン染料のコンポジットブラックの光学濃度（ＯＤ値）に対する寄与が大きく、前記（Ａ）の条件を満たすように、コンポジットブラック中の前記シアン染料の比率を高めることで、コンポジットブラックの光学濃度（ＯＤ値）を向上可能である。しかしながら、三原色の染料の総量が所定量以下であると、コンポジットブラックの光学濃度（ＯＤ値）は低下し、前記総量が所定量以上であると、定着性が悪化する。このため、光学濃度（ＯＤ値）の高いコンポジットブラックを形成するには、前記（Ａ）の条件に加え、前記（Ｂ）の条件も満たすようにすることが重要である。
【０２３１】
つぎに、本発明のインクジェット記録装置及びインクジェット記録方法における前記コンポジットブラックの形成について、例をあげて説明する。
【０２３２】
図１に、前記コンポジットブラック形成の一例のフローチャート（図１（Ａ））及びブロック図（図１（Ｂ））を示す。図１（Ｂ）のブロック図は、本発明のインクジェット記録装置１におけるインクカートリッジ（インク収容部）２、インクジェットヘッド（インク吐出手段）３及び制御手段１１の関係を示す。本例において、制御手段１１は、中央処理装置（ＣＰＵ）１１ａ、ＲＯＭ（Ｒｅａｄ  Ｏｎｌｙ  Ｍｅｍｏｒｙ）１１ｂ及びＲＡＭ（Ｒａｎｄｏｍ  Ａｃｃｅｓｓ  Ｍｅｍｏｒｙ）１１ｃで構成されている。ただし、制御手段１１は、本例に限定されない。インクジェットヘッド３は、各色ごとに複数のノズルからなるノズル列を有しており、走査方向において水性ブラックインク用、水性イエローインク用、水性シアンインク用及び水性マゼンタインク用の順にノズル列が並んでいる。この並び順は、例示に過ぎず、これとは異なる順番で並んでいてもよい。
【０２３３】
本例のインクジェット記録装置及びインクジェット記録方法における前記コンポジットブラックの形成は、例えば、つぎのようにして実施される。なお、本例は、コンポジットブラックのベタ印刷を行う例である。
【０２３４】
まず、図１（Ａ）及び（Ｂ）に示すように、記録動作を開始すると、インクカートリッジ２を搭載したキャリッジが走査方向に移動を開始し、制御手段１１がコンポジットブラックを形成する位置に到達したかを判断する（Ｓ１）。コンポジットブラックの形成位置に到達していないと判断された場合（Ｎｏ）には、コンポジットブラック以外のカラー部分等の形成を行う。このカラー部分の形成は、単色の水性ブラックインクを用いたブラック部分の形成を含んでもよい。コンポジットブラックの形成位置に到達したと判断された場合（Ｙｅｓ）には、あらかじめ決められた印字ｄｕｔｙで前記水性イエローインク、水性シアンインク、水性マゼンタインクの順で液滴をインクジェットヘッド３から吐出する。この印字ｄｕｔｙは、前記条件（Ａ）及び（Ｂ）を満たすように設定された値に相当する。前記「ｄｕｔｙ」は、下記のように定義される。カラー部分の形成とコンポジットブラックの形成の実施順序及び実施回数に制限はなく、所望の画像に応じて、適宜変更可能である。前記色相角∠Ｈ°が所定範囲の前記水性イエローインク、水性マゼンタインク及び水性シアンインクを用い、かつ、光沢紙の所定面積に滴下する前記イエロー染料、マゼンタ染料及びシアン染料を前記（Ａ）及び（Ｂ）の条件を満たすように制御することで、コンポジットブラックの光学濃度（ＯＤ値）を向上可能で、かつ、定着性にも優れる。
ｄｕｔｙ（％）＝実記録ドット数／（縦解像度×横解像度）×１００
実記録ドット数：単位面積当たりの実記録ドット数
縦解像度：単位面積当たりの縦解像度
横解像度：単位面積当たりの横解像度
【０２３５】
本発明のインクジェット記録装置及びインクジェット記録方法において、制御手段１１が、インクジェットヘッド３を、下記（Ａ２）の条件を満たすように制御して、光沢紙上にコンポジットブラックを形成することが好ましい。下記（Ａ２）の条件を満たすことで、コンポジットブラックの光学濃度（ＯＤ値）をより向上可能である。
（Ａ２）    ０．６８≦Ｃ／（Ｙ＋Ｍ）
Ｙ：前記イエロー染料の光沢紙２５．４ｍｍ×２５．４ｍｍあたりの滴下量（ｎｇ）
Ｍ：前記マゼンタ染料の光沢紙２５．４ｍｍ×２５．４ｍｍあたりの滴下量（ｎｇ）
Ｃ：前記シアン染料の光沢紙２５．４ｍｍ×２５．４ｍｍあたりの滴下量（ｎｇ）
【０２３６】
本発明のインクジェット記録装置及びインクジェット記録方法において、前記光沢紙は、空隙型のレジンコート層を有する光沢紙であることが好ましい。このような光沢紙を用いることで、コンポジットブラックの光学濃度（ＯＤ値）をより向上可能で、かつ、定着性にもより優れる。
【０２３７】
つぎに、本発明の記録物は、本発明のインクジェット記録方法により記録されたことを特徴とする。本発明のインクジェット記録方法により記録された本発明の記録物は、コンポジットブラックの光学濃度（ＯＤ値）を向上可能で、かつ、定着性にも優れる。
【０２３８】
つぎに、本発明のコンポジットブラックは、前記水性イエローインク、水性マゼンタインク及び水性シアンインクを用いて、前記（Ａ）及び（Ｂ）の条件を満たすように、光沢紙上に記録されたことを特徴とする。本発明のコンポジットブラックは、光学濃度（ＯＤ値）を向上可能で、かつ、定着性にも優れる。本発明のコンポジットブラックにおいて、前記水性イエローインク、水性マゼンタインク及び水性シアンインクの組成等の条件は、前述の本発明のインクジェット記録方法と同様とすればよい。
【実施例】
【０２３９】
つぎに、本発明の実施例について比較例と併せて説明する。なお、本発明は、下記の実施例及び比較例により限定及び制限されない。
【０２４０】
［水性イエローインクの調製］
インク組成成分（表２）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性イエローインクＹ１〜Ｙ６を得た。なお、表２において、イエロー染料（Ｙ−１ａ）〜（Ｙ−１ｅ）は、それぞれ、式（Ｙ−１ａ）〜（Ｙ−１ｅ）で表される化合物である。前記水性イエローインクＹ１の前記色相角∠Ｈ゜は、８４°であり、前記水性イエローインクＹ５の前記色相角∠Ｈ゜は、９２°であった。また、前記水性イエローインクＹ２〜Ｙ４及びＹ６の前記色相角∠Ｈ゜は、８０°〜１００°の範囲内であった。
【０２４１】
［水性マゼンタインクの調製］
インク組成成分（表３）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性マゼンタインクＭ１〜Ｍ５を得た。なお、表３において、マゼンタ染料（Ｍ−１ａ）〜（Ｍ−１ｄ）は、それぞれ、表１に示すマゼンタ染料（Ｍ−１ａ）〜（Ｍ−１ｄ）で表される化合物であり、マゼンタ染料（Ｍ−２ａ−２）〜（Ｍ−２ａ−４）は、それぞれ、式（Ｍ−２ａ−２）〜（Ｍ−２ａ−４）で表される化合物である。前記水性マゼンタインクＭ２の前記色相角∠Ｈ゜は、３５２°であり、前記水性マゼンタインクＭ４の前記色相角∠Ｈ゜は、３４５°であった。また、前記水性マゼンタインクＭ１、Ｍ３及びＭ５の前記色相角∠Ｈ゜は、０°〜５°又は３４５°〜３６０°の範囲内であった。
【０２４２】
［水性シアンインクの調製］
インク組成成分（表４）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性シアンインクＣ１〜Ｃ７を得た。なお、表４において、シアン染料（Ｃ−１ａ）〜（Ｃ−１ｄ）は、それぞれ、式（Ｃ−１ａ）〜（Ｃ−１ｄ）で表される化合物であり、シアン染料（Ｃ−２ａ−１）、（Ｃ−２ａ−２）及び（Ｃ−２ａ−５）は、それぞれ、式（Ｃ−２ａ−１）、（Ｃ−２ａ−２）及び（Ｃ−２ａ−５）で表される化合物である。前記水性シアンインクＣ５の前記色相角は∠Ｈ゜は、２３２°であり、前記水性シアンインクＣ７の前記色相角∠Ｈ゜は、２２７°であった。また、前記水性シアンインクＣ１〜Ｃ４及びＣ６の前記色相角∠Ｈ゜は、２２０°〜２４０°の範囲内であった。
【０２４３】
【表２】
2015085575.tif 000049
【０２４４】
【表３】
2015085575.tif 000050
【０２４５】
【表４】
2015085575.tif 000051
【０２４６】
［実施例１〜９及び比較例１〜１５］
ブラザー工業（株）製のインクジェットプリンタ搭載デジタル複合機ＤＣＰ−Ｊ５２５Ｎを使用して、表５に示す水性イエローインク、水性マゼンタインク及び水性シアンインクを用いて、ブラザー工業（株）製の写真光沢紙ＢＰ７１Ｇ上にコンポジットブラックを形成し、（ａ）光学濃度（ＯＤ値）評価、（ｂ）定着性評価及び（ｃ）総合評価を、下記の方法により実施した。
【０２４７】
（ａ）光学濃度（ＯＤ値）評価
温度２５℃、相対湿度５０の環境下で前記コンポジットブラックを形成し、前記形成時と同じ環境下で２４時間保存して、常温常湿環境サンプルを得た。前記常温常湿環境サンプルの光学濃度（ＯＤ値）を、Ｇｒｅｔａｇ  Ｍａｃｂｅｔｈ社製の分光測色計ＳｐｅｃｔｒｏＥｙｅ（測定視野：２°；白色基準：Ａｂｓ（絶対白色）；光源：Ｄ５０；濃度基準：ＡＮＳＩ  Ｔ）により測定し、下記評価基準に従って評価した。
【０２４８】
光学濃度（ＯＤ値）評価  評価基準
ＡＡ：ＯＤ値が、１．６５以上
Ａ  ：ＯＤ値が、１．６０以上１．６５未満
Ｂ  ：ＯＤ値が、１．５５以上１．６０未満
Ｃ  ：ＯＤ値が、１．５５未満
【０２４９】
（ｂ）定着性評価
温度２５℃、相対湿度５０％の環境下で前記コンポジットブラックを形成し、形成後５秒経過時に、綿棒で前記コンポジットブラック形成部を擦り、形成部の滲みを目視で観察し、下記評価基準に従って評価した。
【０２５０】
定着性評価  評価基準
Ａ：形成部からのインクの流れがほとんど見られなかった
Ｂ：形成部からのインク流れが見られた
【０２５１】
（ｅ）総合評価
前記（ａ）及び（ｂ）の結果から、下記評価基準に従って、総合評価を行った。
【０２５２】
総合評価  評価基準
Ｇ  ：評価結果のいずれにもＢ及びＣがなかった。
ＮＧ：評価結果のいずれかにＢ又はＣがあった。
【０２５３】
実施例及び比較例で用いた水性イエローインク、水性マゼンタインク及び水性シアンインクの構成及び評価結果を、表５に示す。
【０２５４】
【表５】
2015085575.tif 000052
【０２５５】
表５に示すとおり、実施例１〜９では、光学濃度（ＯＤ値）評価及び定着性評価の結果が、良好であった。前記（Ａ２）の条件を満たす実施例１〜６では、光学濃度（ＯＤ値）評価の結果が特に良好であった。
【０２５６】
一方、０．６６＞Ｃ／（Ｙ＋Ｍ）であり、コンポジットブラックにおける前記シアン染料の比率の低い比較例１〜６では、光学濃度（ＯＤ値）評価の結果が悪く、それに加えて、さらに、三原色の染料の総量が比較例４〜６よりも少ない比較例７〜９では、光学濃度（ＯＤ値）評価の結果が極めて悪かった。また、Ｙ＋Ｍ＋Ｃ＞６００とした比較例１０及び１１では、定着性評価の結果が、悪かった。そして、０．６６＞Ｃ／（Ｙ＋Ｍ）、かつ、５３０＞Ｙ＋Ｍ＋Ｃとした比較例１２及び１３では、光学濃度（ＯＤ値）評価の結果が、極めて悪かった。さらに、５３０＞Ｙ＋Ｍ＋Ｃであり、三原色の染料の総量が少なく比較例１４及び１５では、光学濃度（ＯＤ値）評価の結果が、悪かった。
【産業上の利用可能性】
【０２５７】
以上のように、本発明によれば、光学濃度（ＯＤ値）を抑制可能で、かつ、定着性にも優れたコンポジットブラックを形成可能である。本発明のコンポジットブラックの形成は、各種のインクジェット記録に広く適用可能である。
【符号の説明】
【０２５８】
１          インクジェット記録装置
２          インク収容部（インクカートリッジ）
３          インク吐出手段（インクジェットヘッド）
４          ヘッドユニット
５          キャリッジ
６          駆動ユニット
７          プラテンローラ
８          パージ装置
１１        制御手段
【図１】
2015085575.tif 000063
【図２】
2015085575.tif 000064